(57)【特許請求の範囲】
【請求項１】
互いに並設されＮ相第１電線を含む複数の第１電線を介して交流電力を供給する系統電源と、
前記Ｎ相第１電線と、前記複数の第１電線のうち前記Ｎ相第１電線以外の互いに異なる複数の第１電線との間にそれぞれ接続されて使用者により選択的に使用される複数の第１の電力負荷と、
前記Ｎ相第１電線に接続されているＮ相第２電線と、前記複数の第１電線のうち前記Ｎ相第１電線以外の互いに異なる複数の第１電線にそれぞれ接続されている複数の第２電線との間に前記各第１の電力負荷に対してそれぞれ並列に設けられた第２の電力負荷と、
前記Ｎ相第１電線以外の互いに異なる複数の第１電線であって前記第２電線との接続点より前記系統電源側の位置にそれぞれ装着されるべき電流センサであって、装着された前記第１電線を流れる交流の電流値および流れる方向をそれぞれ検出する複数の電流センサと、
前記電流センサが装着されるべき前記第１電線に接続されている前記第２電線にそれぞれ設けられ、前記系統電源から前記各第２の電力負荷への交流電力の供給・遮断を行う複数のスイッチと、
発電した電力を前記第１および第２の電力負荷に供給可能である発電装置と、
前記各電流センサの検出結果を取得したり、前記各スイッチを開閉制御したり、前記発電装置を制御したりする制御装置と、を備えたコジェネレーションシステムであって、
前記制御装置は、
前記各電流センサが装着される可能性のある前記複数の第１電線と前記各電流センサの装着向きとの組み合わせである第１組み合わせに対応して関連付けられて、前記各スイッチを一つずつオンしたときの前記スイッチ毎におけるそのオンしたスイッチに対して前記各電流センサが同期するか否かを示す同期関係および前記各電流センサに係る電力符号の組み合わせである第２組み合わせを示す予め作成した対応関係を記憶し、
前記発電装置が発電停止している状態において、前記各スイッチを一つずつオンしたときに前記各電流センサによって実際に検出された検出結果に基づいて算出された当該オンしたスイッチ毎における前記第２組み合わせを算出し、
その算出した前記第２組み合わせと前記対応関係とから、前記各電流センサが実際に装着されている前記各第１電線および前記各電流センサの装着向きの判定をするコジェネレーションシステムの電流センサ取付状態判定装置。
【請求項２】
請求項１において、前記発電装置は、前記Ｎ相第二電線に接続されているＮ相第三電線と、前記複数の第二電線のうち前記Ｎ相第二電線以外の互いに異なる複数の第二電線にそれぞれ接続されている複数の第三電線とが接続されており、
前記発電装置は、前記複数の第三電線の電圧をそれぞれ検出する複数の電圧センサを備え、
前記制御装置は、前記各スイッチをオンしたときの前記各電流センサによって検出された電流と前記各電圧センサによって検出された前記各第三電線の電圧とから、前記各電流センサに係る電力符号を算出するコジェネレーションシステムの電流センサ取付状態判定装置。
【請求項３】
請求項１または請求項２において、前記制御装置は、
前記スイッチをオンする直前に算出し記憶した当該電流センサに係る電力符号と、前記スイッチをオンしている間に算出した当該電流センサに係る電力符号とを比較することで、前記各電流センサに係る電力符号を算出し、
前記スイッチをオンする直前に算出し記憶した当該電流センサに係る電力符号と、前記スイッチをオンしている間に算出した当該電流センサに係る電力符号とが異なる場合には、前記スイッチのオン前後において当該電流センサの検出結果の位相が反転していると判定し、前記各電流センサが装着されている電線および前記各電流センサの装着向きの前記判定を禁止するコジェネレーションシステムの電流センサ取付状態判定装置。
【請求項４】
請求項１乃至請求項３の何れか一項において、前記制御装置は、前記各電流センサが装着されている電線および前記各電流センサの装着向きの前記判定が失敗した場合には、時間をおいて前記判定を再度実施するコジェネレーションシステムの電流センサ取付状態判定装置。
【請求項５】
請求項１乃至請求項４の何れか一項において、前記制御装置は、前記各電流センサが装着されている電線および前記各電流センサの装着向きの前記判定の１回目を実施し、その後２回目以降の前記判定を前記１回目の判定時間より長い判定時間で実施するコジェネレーションシステムの電流センサ取付状態判定装置。
【発明の詳細な説明】
【技術分野】
【０００１】
本発明は、コジェネレーションシステムの電流センサ取付状態判定装置に関する。
【背景技術】
【０００２】
コジェネレーションシステムの診断装置の一形式として、特許文献１に示されているものが知られている。特許文献１の図２に示されているように、コジェネレーションシステムの診断装置は、発電装置６の運転を停止した状態において、Ｕ相線３ａの電力変動にシステム制御手段１０のＵ相線入力部の検出電流が同調して変動し、且つ、Ｖ相線３ｂの電力変動にシステム制御手段１０のＶ相線入力部の検出電流が同調して変動するときには、第１電流検出手段２ａ及び第２電流検出手段２ｂとシステム制御手段１０との接続設定をその状態に設定維持し、Ｕ相線３ａの電力変動にシステム制御手段１０のＶ相線入力部の検出電流が同調して変動し、且つ、Ｖ相線３ｂの電力変動にシステム制御手段１０のＵ相線入力部の検出電流が同調して変動するときには、第１電流検出手段２ａ及び第２電流検出手段２ｂとシステム制御手段１０との接続設定を反対に設定するようになっている。
【０００３】
この診断装置によれば、発電装置を運転せずとも、電流検出器とシステム制御手段との接続状態を確認できる。
【先行技術文献】
【特許文献】
【０００４】
【特許文献１】特開２００６−２６７０６６号公報
【発明の概要】
【発明が解決しようとする課題】
【０００５】
上述した特許文献１に記載されているコジェネレーションシステムの診断装置においては、第１電流検出手段２ａ及び第２電流検出手段２ｂがそれぞれＵ相線３ａおよびＶ相線３ｂに装着されていることが電流検出器とシステム制御手段との接続状態を確認できることが前提である。よって、第１電流検出手段２ａ及び第２電流検出手段２ｂの少なくとも何れか一方がＯ相線３ｃに装着されている場合には、接続状態を確認することはできず、さらには第１電流検出手段２ａ及び第２電流検出手段の装着先および装着向きを判定することはできないという問題があった。
【０００６】
本発明は、上述した問題を解消するためになされたもので、コジェネレーションの電流センサ取付状態判定装置において、電線に装着された電流センサの装着位置および装着向きを正確に判定することを目的とする。
【課題を解決するための手段】
【０００７】
上記の課題を解決するため、請求項１に係る発明は、互いに並設されＮ相第１電線を含む複数の第１電線を介して交流電力を供給する系統電源と、Ｎ相第１電線と、複数の第１電線のうちＮ相第１電線以外の互いに異なる複数の第１電線との間にそれぞれ接続されて使用者により選択的に使用される複数の第１の電力負荷と、Ｎ相第１電線に接続されているＮ相第２電線と、複数の第１電線のうちＮ相第１電線以外の互いに異なる複数の第１電線にそれぞれ接続されている複数の第２電線との間に各第１の電力負荷に対してそれぞれ並列に設けられた第２の電力負荷と、Ｎ相第１電線以外の互いに異なる複数の第１電線であって第２電線との接続点より系統電源側の位置にそれぞれ装着されるべき電流センサであって、装着された第１電線を流れる交流の電流値および流れる方向をそれぞれ検出する複数の電流センサと、電流センサが装着されるべき第１電線に接続されている第２電線にそれぞれ設けられ、系統電源から各第２の電力負荷への交流電力の供給・遮断を行う複数のスイッチと、発電した電力を第１および第２の電力負荷に供給可能である発電装置と、各電流センサの検出結果を取得したり、各スイッチを開閉制御したり、発電装置を制御したりする制御装置と、を備えたコジェネレーションシステムであって、制御装置は、各電流センサが装着される可能性のある複数の第１電線と各電流センサの装着向きとの組み合わせである第１組み合わせに対応して関連付けられて、各スイッチを一つずつオンしたときのスイッチ毎におけるそのオンしたスイッチに対して各電流センサが同期するか否かを示す同期関係および各電流センサに係る電力符号の組み合わせである第２組み合わせを示す予め作成した対応関係を記憶し、発電装置が発電停止している状態において、各スイッチを一つずつオンしたときに各電流センサによって実際に検出された検出結果に基づいて算出された当該オンしたスイッチ毎における第２組み合わせを算出し、その算出した第２組み合わせと対応関係とから、各電流センサが実際に装着されている各第１電線および各電流センサの装着向きの判定をする。
また請求項２に係る発明は、請求項１において、発電装置は、Ｎ相第二電線に接続されているＮ相第三電線と、複数の第二電線のうちＮ相第二電線以外の互いに異なる複数の第二電線にそれぞれ接続されている複数の第三電線とが接続されており、発電装置は、複数の第三電線の電圧をそれぞれ検出する複数の電圧センサを備え、制御装置は、各スイッチをオンしたときの各電流センサによって検出された電流と各電圧センサによって検出された各第三電線の電圧とから、各電流センサに係る電力符号を算出する。
【０００８】
また請求項３に係る発明は、請求項１または請求項２において、制御装置は、スイッチをオンする直前に算出し記憶した当該電流センサに係る電力符号と、スイッチをオンしている間に算出した当該電流センサに係る電力符号とを比較することで、各電流センサに係る電力符号を算出し、スイッチをオンする直前に算出し記憶した当該電流センサに係る電力符号と、スイッチをオンしている間に算出した当該電流センサに係る電力符号とが異なる場合には、スイッチのオン前後において当該電流センサの検出結果の位相が反転していると判定し、各電流センサが装着されている電線および各電流センサの装着向きの判定を禁止する。
【０００９】
また請求項４に係る発明は、請求項１乃至請求項３の何れか一項において、制御装置は、各電流センサが装着されている電線および各電流センサの装着向きの判定が失敗した場合には、時間をおいて判定を再度実施する。
【００１０】
また請求項５に係る発明は、請求項１乃至請求項４の何れか一項において、制御装置は、各電流センサが装着されている電線および各電流センサの装着向きの判定の１回目を実施し、その後２回目以降の判定を１回目の判定時間より長い判定時間で実施する。
【発明の効果】
【００１１】
上記のように構成した請求項１に係る発明においては、制御装置は、各電流センサが装着される可能性のある複数の第１電線と各電流センサの装着向きとの組み合わせである第１組み合わせに対応して関連付けられて、各スイッチを一つずつオンしたときのスイッチ毎におけるそのオンしたスイッチに対して各電流センサが同期するか否かを示す同期関係および各電流センサに係る電力符号の組み合わせである第２組み合わせを示す予め作成した対応関係を記憶し、発電装置が発電停止している状態において、各スイッチを一つずつオンしたときに各電流センサによって実際に検出された検出結果に基づいて算出された当該オンしたスイッチ毎における第２組み合わせを算出し、その算出した第２組み合わせと対応関係とから、各電流センサが実際に装着されている各第１電線および各電流センサの装着向きの判定をする。これにより、コジェネレーションの電流センサ取付状態判定装置は、各電流センサが系統電源のいずれの相の電線に取り付けられていても、電流センサの装着位置および装着向きを正確に判定することができる。
上記のように構成した請求項２に係る発明においては、請求項１において、発電装置は、Ｎ相第二電線に接続されているＮ相第三電線と、複数の第二電線のうちＮ相第二電線以外の互いに異なる複数の第二電線にそれぞれ接続されている複数の第三電線とが接続されており、発電装置は、複数の第三電線の電圧をそれぞれ検出する複数の電圧センサを備え、制御装置は、各スイッチをオンしたときの各電流センサによって検出された電流と各電圧センサによって検出された各第三電線の電圧とから、各電流センサに係る電力符号を算出する。
【００１２】
上記のように構成した請求項３に係る発明においては、請求項１または請求項２において、制御装置は、スイッチをオンする直前に算出し記憶した当該電流センサに係る電力符号と、スイッチをオンしている間に算出した当該電流センサに係る電力符号とを比較することで、各電流センサに係る電力符号を算出し、スイッチをオンする直前に算出し記憶した当該電流センサに係る電力符号と、スイッチをオンしている間に算出した当該電流センサに係る電力符号とが異なる場合には、スイッチのオン前後において当該電流センサの検出結果の位相が反転していると判定し、各電流センサが装着されている電線および各電流センサの装着向きの判定を禁止する。これにより、スイッチのオン前後で電流の位相が反転するような状況においては、例えば、第１の電力負荷において電力が消費されている場合においては、各電流センサが装着されている電線および各電流センサの装着向きの判定を禁止するため、電流センサの装着位置および装着向きの誤判定を防止して電流センサの装着位置および装着向きの判定の精度を向上することができる。
【００１３】
上記のように構成した請求項４に係る発明においては、請求項１乃至請求項３の何れか一項において、制御装置は、各電流センサが装着されている電線および各電流センサの装着向きの判定が失敗した場合には、時間をおいて判定を再度実施する。これにより、判定に一度失敗した場合でも、時間をおいて状況が変更することで、次回判定が成功する場合もあるので、電流センサの装着位置および装着向きの判定をできるだけ短期で成功させることができる。
【００１４】
上記のように構成した請求項５に係る発明においては、請求項１乃至請求項４の何れか一項において、制御装置は、各電流センサが装着されている電線および各電流センサの装着向きの判定の１回目を実施し、その後２回目以降の判定を１回目の判定時間より長い判定時間で実施する。これにより、電流センサの装着位置および装着向きの判定を複数回行うこと、および２回目の判定時間を延ばすことにより、電流センサの装着位置および装着向きの判定の精度を向上することができる。
【図面の簡単な説明】
【００１５】
【図１】本発明によるコジェネレーションシステムの電流センサ取付状態判定装置の一実施形態の概要を示す概要図である。
【図２】図１に示すコジェネレーションシステムの回路構成を示す図である。
【図３】第１電流センサおよび第２電流センサが装着されている電線ならびに第１電流センサおよび第２電流センサの装着向きをそれぞれ変えた場合に、これら各場合とＵ相スイッチおよびＶ相スイッチをそれぞれオンしたときの第１電流センサおよび第２電流センサの検出状態との関係を示す予め作成した表１である。
【図４】Ｕ相スイッチをオンしたときの第１および第２電流センサの検出状態を９つのパターンで示す表２である。
【図５】Ｖ相スイッチをオンしたときの第１および第２電流センサの検出状態を９つのパターンで示す表３である。
【図６】図３に示す表３の番号１に示すように第１および第２電流センサが取付位置および取付方向で取り付けられている回路構成を示す図である。
【図７】図３に示す表３の番号２に示すように第１および第２電流センサが取付位置および取付方向で取り付けられている回路構成を示す図である。
【図８】図３に示す表３の番号３に示すように第１および第２電流センサが取付位置および取付方向で取り付けられている回路構成を示す図である。
【図９】図３に示す表３の番号４に示すように第１および第２電流センサが取付位置および取付方向で取り付けられている回路構成を示す図である。
【図１０】図３に示す表３の番号５に示すように第１および第２電流センサが取付位置および取付方向で取り付けられている回路構成を示す図である。
【図１１】図３に示す表３の番号６に示すように第１および第２電流センサが取付位置および取付方向で取り付けられている回路構成を示す図である。
【図１２】図３に示す表３の番号７に示すように第１および第２電流センサが取付位置および取付方向で取り付けられている回路構成を示す図である。
【図１３】図３に示す表３の番号８に示すように第１および第２電流センサが取付位置および取付方向で取り付けられている回路構成を示す図である。
【図１４】図３に示す表３の番号９に示すように第１および第２電流センサが取付位置および取付方向で取り付けられている回路構成を示す図である。
【図１５】図３に示す表３の番号１０に示すように第１および第２電流センサが取付位置および取付方向で取り付けられている回路構成を示す図である。
【図１６】図３に示す表３の番号１１に示すように第１および第２電流センサが取付位置および取付方向で取り付けられている回路構成を示す図である。
【図１７】図３に示す表３の番号１２に示すように第１および第２電流センサが取付位置および取付方向で取り付けられている回路構成を示す図である。
【図１８】図３に示す表３の番号２５に示すように第１および第２電流センサが取付位置および取付方向で取り付けられている回路構成を示す図である。
【図１９】図３に示す表３の番号２６に示すように第１および第２電流センサが取付位置および取付方向で取り付けられている回路構成を示す図である。
【図２０】図３に示す表３の番号２７に示すように第１および第２電流センサが取付位置および取付方向で取り付けられている回路構成を示す図である。
【図２１】図３に示す表３の番号２８に示すように第１および第２電流センサが取付位置および取付方向で取り付けられている回路構成を示す図である。
【図２２】図１に示す制御装置で実行される制御プログラム（メインプログラム）のフローチャートである。
【図２３】図１に示す制御装置で実行される制御プログラム（Ｕ相スイッチオンに係るＣＴ状態確定処理サブルーチン）のフローチャートである。
【図２４】図１に示す制御装置で実行される制御プログラム（Ｖ相スイッチオンに係るＣＴ状態確定処理サブルーチン）のフローチャートである。
【図２５】Ｕ相スイッチ（またはＶ相スイッチ）がオンされる前の第１電流センサ（または第２電流センサ）に係る電力符号と、Ｕ相スイッチ（またはＶ相スイッチ）がオン中の第１電流センサ（または第２電流センサ）に係る電力符号とが一致しない場合を説明するための図である。
【図２６】図２２に示すフローチャートを実行したときの一実施例を示すタイムチャートである。
【発明を実施するための形態】
【００１６】
以下、本発明による電流センサ取付状態判定装置を適用したコジェネレーションシステムの一実施形態について説明する。図１はこのコジェネレーションシステムの概要を示す概要図である。このコジェネレーションシステムは、発電する発電装置１０と、発電装置１０の排熱を回収した湯水を貯湯するとともに湯水使用装置２６ａに該湯水を供給する貯湯槽３０と、発電量指示値に応じた発電量となるように発電装置１０を制御する制御装置４０（電流センサ取付状態判定装置）とを備えている。
【００１７】
発電装置１０は、燃料電池発電装置であり、直流電力を発生する発電器１１と、発電器１１から供給された直流電力を交流電力に変換して出力する変換器（例えばインバータ）１２とを備えている。発電装置１０は、発電した電力を変換器１２を介して第１の電力負荷２１および第２の電力負荷１９に供給可能である。なお、発電装置１０としては、燃料電池発電装置の他に、ディーゼルエンジン、ガスエンジン、ガスタービン、マイクロガスタービンなどの原動機とこの原動機によって駆動される発電機から構成されたものでもよい。
【００１８】
燃料電池発電装置は、燃料ガス（水素ガス）および酸化剤ガス（酸素を含む空気）が供給されて水素と酸素の化学反応により発電して直流電圧（例えば４０Ｖ）を出力する図略の燃料電池（高分子電解質形燃料電池）と、燃料（改質用燃料）を水蒸気改質し水素リッチな改質ガスを燃料電池に供給する改質器（図示省略）と、を備えている。燃料としては天然ガス、ＬＰＧ、灯油、ガソリン、メタノールなどがある。改質器は、いずれも一般的によく知られている、バーナ（燃焼部）、改質部、一酸化炭素シフト反応部（以下、ＣＯシフト部という）および一酸化炭素選択酸化反応部（以下、ＣＯ選択酸化部という）から構成されている。なお、燃料電池発電装置は、高分子電解質形燃料電池に限られず、固体酸化物形燃料電池やその他のタイプの燃料電池で構成するようにしてもよい。
【００１９】
発電機１１は、燃料供給源１３に接続されており、燃料供給源１３から燃料が投入されて、その投入された燃料を利用して発電するものである。燃料供給源１３と発電器１１の間には、発電器１１に投入される燃料量を検出する燃料投入量検出手段である流量計１３ａが設けられており、流量計１３ａは検出した燃料投入量を制御装置４０に送信するようになっている。なお、燃料電池発電装置の場合の燃料投入量は、改質器に供給される燃料の投入量を指す。
【００２０】
変換器１２は、電力使用場所２０に設置されている複数の第１の電力負荷２１と系統電源１６とを接続する電線１５に電線１７を介して接続されている。変換器１２から出力される交流電力は、電線１７および電線１５を介して各第１の電力負荷２１に必要に応じて供給されている。変換器１２には、発電装置１０から出力される発電出力量および系統電源１６から発電器１１に供給される電力量を検出する電力量検出手段である電力計１０ａが設けられている。
【００２１】
電力計１０ａは、電流を検出する電流センサと電圧を検出する電圧センサとにより構成するようになっており、電力計１０ａは検出した電流および電圧（または電流と電圧とから導出した電力）を制御装置４０に送信するようになっている。電力計１０ａは、図２に示すように、Ｕ相線１７ａの電流および電圧（または電力）を検出する電力計１０ａ１とＶ相線１７ｂの電流および電圧（または電力）を検出する電力計１０ａ２とから構成されている。
【００２２】
図１に示すように、電線１７には、切替スイッチ５１が設けられている。切替スイッチ５１は、制御装置４０からの指令を受けて、系統電源１６が停電になった場合に発電器１１（発電装置１０）と系統電源１６とを切り離し（解列し）、系統電源１６から正常に電力が供給されている（または正常に電力が供給可能である）場合に発電器１１と系統電源１６とを接続する（連系する）。
【００２３】
第１の電力負荷２１は、電灯、アイロン、テレビ、洗濯機、電気コタツ、電気カーペット、エアコン、冷蔵庫などの電気器具である。第１の電力負荷２１にて消費された電力消費量は電力計２２により検出されており、電力計２２は電力使用場所２０で使用される全ての第１の電力負荷２１の合計電力消費量を検出して、制御装置４０に送信するようになっている。発電装置１０は、その最大出力電力までは電力計２２により検出された総電力消費量に追従して発電し、最大出力電力を超える範囲ではその最大出力電力にて発電する。なお、発電装置１０の発電量より第１の電力負荷２１（２１ａ，２１ｂ）の総電力消費量が上回った場合、その不足電力を系統電源１６から受電して補うようになっている。
【００２４】
電線１５には、電線１７との接続点より系統電源１６側に電流センサ５２が設けられている。電流センサ５２は、電線１５を流れる電流（交流）の電流値を検出するものである。具体的には、電流センサ５２は、いわゆるクランプ式交流電流センサやいわゆるホール電流センサである。クランプ式交流電流センサは、一般的によく知られているものであり、リング状のコアの貫通穴に被検出電線を配設し、コアに巻いたコイルの巻線比に応じた二次側電流を負荷抵抗に接続することにより電圧として検出する。クランプ式交流電流センサは、分割式のクランプ式交流電流センサが好ましい。既設の分電盤などに後付できるからである。ホール電流センサは、一般的によく知られているものであり、ホール素子を一部に配設したリング状のコアの貫通穴に被検出電線を配設し、被検出電流をホール素子の出力電圧として検出する。いずれの電流センサも検出方向があり、逆方向に装着すると、出力が正負逆になる。電流センサ５２の検出結果は、制御装置４０に送信されるようになっている。
【００２５】
電線１７には、電線１５との接続点から切替スイッチ５１までの間に電線１８を介して第２の電力負荷１９が接続されている。電線１８には、スイッチ５４が設けられている。スイッチ５４は、系統電源１６から第２の電力負荷１９への交流電力の供給・遮断を制御装置４０からの指令を受けて実施するものである。
【００２６】
第２の電力負荷１９は、発電器１１に設けられて燃焼部を着火させる着火用ヒータ、貯湯槽３０に設けられ貯湯槽３０内の湯水を加熱する加熱用ヒータなどがある。
【００２７】
系統電源１６からの電線１５は単相３線式の回路構成であり、図２に示すように、Ｕ相線１５ａ、Ｖ相線１５ｂ及び中性線１５ｃ（Ｎ相線）から構成されている。系統電源１６は、互いに並設されている複数の電線１５ａ，１５ｂ，１５ｃを介して交流電力を供給するようになっている。Ｕ相線１５ａと中性線１５ｃとの間に例えば１００Ｖの電位差があり、Ｖ相線１５ｂと中性線１５ｃとの間に例えば１００Ｖの電位差があり、またＵ相線１５ａとＶ相線１５ｂとの間に例えば２００Ｖの電位差がある。
【００２８】
複数の第１の電力負荷２１ａ，２１ｂは、複数の電線１５ａ，１５ｂ，１５ｃのうちいずれか２つの互いに異なる電線の間にそれぞれ接続されて使用者により選択的に使用されるものである。本実施形態において単相３線式の電線１５の回路構成では、第１の電力負荷２１は、その一部２１ａ（Ｕ相電力負荷）についてはＵ相線１５ａと中性線１５ｃとの間に接続された構成となり、またその残部２１ｂ（Ｖ相電力負荷）についてはＶ相線１５ｂと中性線１５ｃとの間に接続された構成となる。なお、第１の電力負荷２１ａを、Ｕ相線１５ａと中性線１５ｃとの間またはＶ相線１５ｂと中性線１５ｃとの間に接続するとともに、第１の電力負荷２１ｂを、Ｕ相線１５ａとＶ相線１５ｂとの間に接続するようにしてもよい。
【００２９】
Ｕ相線１５ａには、Ｕ相線１７ａとの接続点より系統電源１６側の位置に電流センサ５２ａが装着されている。電流センサ５２ａは、Ｕ相線１５ａを流れる交流の電流値および流れる方向を検出する。Ｖ相線１５ｂには、Ｖ相線１７ｂとの接続点より系統電源１６側の位置に電流センサ５２ｂが装着されている。電流センサ５２ｂは、Ｖ相線１５ｂを流れる交流の電流値および流れる方向を検出する。
【００３０】
本実施形態では、コジェネレーションシステムの発電装置１０からの電線１７は単相３線式のものである。電線１７のＵ相線１７ａが電線１５のＵ相線１５ａに連結され、電線１７のＶ相線１７ｂが電線１５のＶ相線１５ｂに連結され、電線１７の中性線１７ｃが電線１５の中性線１５ｃに連結されている。Ｕ相線１７ａには、Ｕ相線１７ａを連通・遮断する切替スイッチ５１ａが設けられ、Ｖ相線１７ｂには、Ｖ相線１７ｂを連通・遮断する切替スイッチ５１ｂが設けられている。切替スイッチ５１ａ、５１ｂは切替スイッチ５１を構成する。
【００３１】
電線１８のＵ相線１８ａは電線１７のＵ相線１７ａに連結され、電線１８のＶ相線１８ｂは電線１７のＶ相線１７ｂに連結され、電線１８の中性線１８ｃは電線１７の中性線１７ｃに連結されている。
【００３２】
第２の電力負荷１９のうちの一部１９ａ（Ｕ相補機）はＵ相線１８ａと中性線１８ｃとの間に接続された構成となり、第１の電力負荷２１ａに対して並列に設けられている。第２の電力負荷１９ａでは、供給された交流電力が消費される。本実施形態においては、例えば第２の電力負荷１９ａは発電器１１に設けられている上述した着火用ヒータである。
【００３３】
系統電源１６から第２の電力負荷１９ａまでの電線、すなわちＵ相線１８ａには、系統電源１６から第２の電力負荷１９ａ（Ｕ相線１５ａに接続されている第２の電力負荷）への交流電力の供給・遮断を行うスイッチ（Ｕ相スイッチ）５４ａが設けられている。Ｕ相スイッチ５４ａが制御装置４０の指示を受けて連通される（閉状態となる）と、系統電源１６からの交流電力が第２の電力負荷１９ａに供給されて第２の電力負荷１９ａが作動する。Ｕ相スイッチ５４ａが制御装置４０の指示を受けて遮断される（開状態となる）と、系統電源１６からの交流電力が第２の電力負荷１９ａに供給されなくなって第２の電力負荷１９ａの作動が停止する。
【００３４】
第２の電力負荷１９のうちの残部１９ｂ（Ｖ相補機）は中性線１８ｃとＶ相線１８ｂとの間に接続された構成となり、第１の電力負荷２１ｂに対して並列に設けられている。第２の電力負荷１９ｂでは、供給された交流電力が消費される。本実施形態においては、例えば第２の電力負荷１９ｂは貯湯槽３０に設けられている暖機ヒータである。
【００３５】
系統電源１６から第２の電力負荷１９ｂまでの電線、すなわちＶ相線１８ｂには、系統電源１６から第２の電力負荷１９ｂ（Ｖ相線１５ｂに接続されている第２の電力負荷）への交流電力の供給・遮断を行うスイッチ（Ｖ相スイッチ）５４ｂが設けられている。Ｖ相スイッチ５４ｂが制御装置４０の指示を受けて連通される（閉状態となる）と、系統電源１６からの交流電力が第２の電力負荷１９ｂに供給されて第２の電力負荷１９ｂが作動する。Ｖ相スイッチ５４ｂが制御装置４０の指示を受けて遮断される（開状態となる）と、系統電源１６からの交流電力が第２の電力負荷１９ｂに供給されなくなって第２の電力負荷１９ｂの作動が停止する。
【００３６】
なお、第１の電力負荷２１ａを、Ｕ相線１５ａと中性線１５ｃとの間またはＶ相線１５ｂと中性線１５ｃとの間に接続するとともに、第１の電力負荷２１ｂを、Ｕ相線１５ａとＶ相線１５ｂとの間に接続するようにする場合には、第２の電力負荷１９ａを、Ｕ相線１８ａと中性線１８ｃとの間またはＶ相線１８ｂと中性線１８ｃとの間に接続するとともに、第２の電力負荷１９ｂを、Ｕ相線１８ａとＶ相線１８ｂとの間に接続するようにしてもよい。
【００３７】
上述したように、コジェネレーションシステムは、各第１の電力負荷２１ａ，２１ｂに接続されている２つの電線１５ａ，１５ｃまたは１５ｃ，１５ｂの間に該各第１の電力負荷２１ａ，２１ｂに対してそれぞれ並列に設けられて供給された交流電力が消費される第２の電力負荷１９ａ，１９ｂを備えている。また、コジェネレーションシステムは、系統電源１６から各第２の電力負荷１９ａ，１９ｂへの交流電力の供給・遮断をそれぞれ行う複数（本実施形態では例えば２つ）のスイッチ５４ａ，５４ｂを備えている。さらに、コジェネレーションシステムは、各電線１５ａ，１５ｂ，１５ｃであって各電線１７ａ，１７ｂ，１７ｃとの接続点より系統電源１６側の位置に装着されて、その装着された各電線を流れる交流の電流値および流れる方向をそれぞれ検出する少なくとも２以上（本実施形態では例えば２つ）の電流センサ５２ａ，５２ｂを備えている。
【００３８】
また、図１に示すように、発電器１１には、発電器１１の排熱を回収して発電器１１を冷却する熱媒体が循環する冷却回路３１が接続されている。冷却回路３１上には、熱交換器３２が配設されている。一方、後述する貯湯槽３０には、貯湯槽３０内の湯水（貯湯水）を加熱するための湯水循環回路３３が接続されている。湯水循環回路３３上には、熱交換器３２が配設されている。熱交換器３２は、冷却回路３１を循環する熱媒体と湯水循環回路３３を循環する湯水との間で熱交換が行われるものである。冷却回路３１上にはポンプ３１ａが配設され、湯水循環回路３３上にはポンプ３３ａが配設されている。これにより、発電器１１の発電中にポンプ３１ａが駆動されて冷却回路３１を熱媒体が循環し、ポンプ３３ａが駆動されて湯水循環回路３３を湯水が循環すると、発電器１１の排熱が熱媒体および熱交換器３２を通って湯水に回収されて湯水が加熱されるようになっている。発電器１１の排熱とは、例えば、燃料電池発電装置の場合、燃料電池５０の排熱や改質器の排熱などをいい、エンジン発電装置の場合、エンジンの排熱などが挙げられる。しかし、それに限定せず発電機それ自体の熱など回収可能な排熱なら何でも利用できる。
【００３９】
貯湯槽３０は、１つの柱状容器を備えており、その内部に温水が層状に、すなわち上部の温水が最も高温であり下部にいくにしたがって低温となり下部の温水が最も低温であるように貯留されるようになっている。貯湯槽３０に貯留されている高温の温水が貯湯槽３０の柱状容器の上部から導出され、その導出された分を補給するように水供給源１４からの水道水などの水（低温の水）が貯湯槽３０の柱状容器の下部から導入されるようになっている。このように構成された貯湯槽３０は、発電装置１０の近くに設置されている。
【００４０】
貯湯槽３０には、給湯管３５が接続されている。給湯管３５には、湯水使用場所２５に設置されており貯湯槽３０に貯留している湯水を給湯として利用する複数の湯利用機器２６ａ（浴槽、シャワ、キッチン（キッチンの蛇口）、洗面所（洗面所の蛇口）など）が接続されている。
【００４１】
制御装置４０は、マイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、各電流センサ５２ａ，５２ｂの検出結果を取得したり、各スイッチ５４ａ，５４ｂを開閉制御したり、発電装置１０を制御したりする。ＲＡＭは同プログラムの実行に必要な変数を一時的に記憶するものであり、ＲＯＭは前記プログラムを記憶するものである。
【００４２】
制御装置４０は、電流センサ５２（第１および第２電流センサ５２ａ，５２ｂ）から検出結果をアナログ信号で入力し、デジタル化してデジタル信号として出力する計測回路４１を備えている。計測回路４１は、第１および第２の計測回路４１ａ，４１ｂから構成されている。第１の計測回路４１ａは、比較的小さい電流を狭い範囲で計測するためのものであり、その入力レンジ（すなわち計測可能なレンジ）は例えば数アンペアである。第２の計測回路４１ｂは、第１の計測回路４１ａより比較的大きい電流を広い範囲で計測するためのものであり、その入力レンジは例えば百数十アンペアである。第１および第２の計測回路４１ａ，４１ｂを使い分けることにより、計測対象の電流値の大きさに応じて適切かつ正確に電流を計測することができる。
【００４３】
制御装置４０は、後述するように、第１電流センサ５２ａおよび第２電流センサ５２ｂが装着されている電線ならびに第１電流センサ５２ａおよび第２電流センサ５２ｂの装着向きをそれぞれ変えた場合に、これら各場合とＵ相スイッチ５４ａおよびＶ相スイッチ５４ｂをそれぞれオンしたときの第１電流センサ５２ａおよび第２電流センサ５２ｂの検出状態との関係を示す予め作成した表１（図３参照）を記憶している。
【００４４】
表１には、左から順番に、番号、第１および第２電流センサ５２ａ，５２ｂが装着されている電線、その装着されている第１および第２電流センサ５２ａ，５２ｂの方向（装着方向）、Ｕ相スイッチ５４ａをオンしたときの第１および第２電流センサ５２ａ，５２ｂの検出状態、Ｖ相スイッチ５４ｂをオンしたときの第１および第２電流センサ５２ａ，５２ｂの検出状態、および判定結果をそれぞれ示す欄が記載されている。なお、図中の「ＣＴ」は「電流センサ」を表している。
【００４５】
「番号」欄は、第１および第２電流センサ５２ａ，５２ｂが装着されている電線と、その装着されている第１および第２電流センサ５２ａ，５２ｂの方向（装着方向）との組み合わせの番号を示す。
【００４６】
「第１および第２電流センサ５２ａ，５２ｂが装着されている電線」欄には、左から順番に、Ｕ相線、Ｎ相線およびＶ相線を示す欄が設けられている。黒星印が付されている場合には、その欄に対応する電線に第１電流センサ５２ａが装着されていることを表している。白星印が付されている場合には、その欄に対応する電線に第２電流センサ５２ｂが装着されていることを表している。例えば、Ｕ相線の欄に黒星印が付され、Ｖ相線の欄に白星印が付されている場合には、Ｕ相線に第１電流センサ５２ａが装着され、Ｖ相線に第２電流センサ５２ｂが装着されていることを表している。
【００４７】
「その装着されている第１および第２電流センサ５２ａ，５２ｂの方向（装着方向）」欄には、左から順番に、第１電流センサ５２ａの装着方向、および第２電流センサ５２ｂの装着方向を示す欄が設けられている。「正常」が記載されている場合には、順潮流の方向（系統電源１６から流入する方向）に装着されていることを表している。「逆」が記載されている場合には、逆潮流の方向（系統電源１６に流出する方向）に装着されていることを表している。
【００４８】
例えば図２において、第１電流センサ５２ａおよび第２電流センサ５２ｂに記載している矢印は電流センサの検出方向を示しており、矢印方向と同じ方向の流れの電流を検出した場合には出力値は正であり、矢印方向と逆方向の流れの電流を検出した場合には出力値は負である。
【００４９】
第１電流センサ５２ａは、そもそもＵ相線１５ａに装着されるべき電流センサであり、Ｕ相線１５ａに装着される際には、順潮流の方向の電流の流れを正の値で取得するべく、第１電流センサ５２ａの検出方向を示す矢印が順潮流の方向と一致するように装着される（取付方向は正常方向である）。なお、Ｕ相線１５ａにおける順潮流の方向は便宜上系統電源１６から電力負荷２１ａ（２１ｂ）に流れる方向であるとする。
【００５０】
第２電流センサ５２ｂは、そもそもＶ相線１５ｂに装着されるべき電流センサであり、Ｖ相線１５ｂに装着される際には、順潮流の方向の電流の流れを正の値で取得するべく、第２電流センサ５２ｂの検出方向を示す矢印が順潮流の方向と一致するように装着される（取付方向は正常方向である）。なお、Ｖ相線１５ｂにおける順潮流の方向は便宜上電力負荷２１ａ（２１ｂ）から系統電源１６に流れる方向であるとする。前述したように、第１電流センサ５２ａにおいて、系統電源１６から電力負荷２１側に電流が流れる方向を買電方向（順潮流方向）と仮定し、第２電流センサ５２ｂにおいて、電力負荷２１側から系統電源１６に電流が流れる方向を買電方向（順潮流方向）と仮定する。
【００５１】
「Ｕ相スイッチ５４ａをオンしたときの第１および第２電流センサ５２ａ，５２ｂの検出状態」欄には、Ｕ相スイッチ５４ａをオンしたときの第１および第２電流センサ５２ａ，５２ｂの検出状態を示している。この検出状態は、次の４つの項目から構成されている。１つ目は、Ｕ相スイッチ５４ａをオンしたときの第１電流センサ５２ａによる検出結果（検出された電流）と電力計１０ａ１により検出されたＵ相線１７ａの電圧とから導出される電力の符号の状態である。２つ目は、Ｕ相スイッチ５４ａをオンしたときの第２電流センサ５２ｂによる検出結果と電圧計１０ａ２により検出されたＶ相線１７ｂの電圧とから導出される電力の符号の状態である。３つ目は、Ｕ相スイッチ５４ａをオンしたときに第１電流センサ５２ａの検出結果とＵ相スイッチ５４ａとが同期があるかないかのいずれかの状態である。そして、４つ目は、およびＵ相スイッチ５４ａをオンしたときに第２電流センサ５２ｂの検出結果とＵ相スイッチ５４ａとが同期があるかないかのいずれかの状態である。これら４つの項目の組み合わせにより検出状態は図４に示す表２に示すように９つのパターンがある。
【００５２】
図４に示すように、ａパターンは、Ｕ相スイッチ５４ａがオンされた場合に、第１電流センサ５２ａによって検出された電流がＵ相スイッチ５４ａのオンに同期し（同期あり）、第２電流センサ５２ｂによって検出された電流がＵ相スイッチ５４ａのオンに同期しない（同期なし）状態である。このとき、第１電流センサ５２ａにより検出された電流とＵ相線１７ａの電圧とから導出された電圧の符号が正である状態である。
【００５３】
なお、同期ありとは、Ｕ相スイッチ５４ａを連通（オン）させる直前に記憶した第１電流センサ５２ａおよび第２電流センサ５２ｂにより検出された各電流値と、Ｕ相スイッチ５４ａを連通させて第２の電力負荷１９ａを動作させた後に（またはＶ相スイッチ５４ｂを連通させて第２の電力負荷１９ｂを動作させた後に、）、第１電流センサ５２ａおよび第２電流センサ５２ｂにより検出された各電流値（実効値）との偏差が第１閾値（例えば１Ａ）以上でありかつ第１閾値より大きい値である第２閾値（例えば５．５Ａ）未満である場合のことである。
【００５４】
また、同期なしとは、Ｕ相スイッチ５４ａを連通（オン）させる直前に記憶した第１電流センサ５２ａおよび第２電流センサ５２ｂにより検出された各電流値と、Ｕ相スイッチ５４ａを連通させて第２の電力負荷１９ａを動作させた後に（またはＶ相スイッチ５４ｂを連通させて第２の電力負荷１９ｂを動作させた後に、）、第１電流センサ５２ａおよび第２電流センサ５２ｂにより検出された各電流値（実効値）との偏差が第１閾値より小さい値である第３閾値（例えば−１Ａ）以上でありかつ第１閾値未満である場合のことである。
【００５５】
ｂパターンは、Ｕ相スイッチ５４ａがオンされた場合に、第１電流センサ５２ａによって検出された電流がＵ相スイッチ５４ａのオンに同期し（同期あり）、第２電流センサ５２ｂによって検出された電流がＵ相スイッチ５４ａのオンに同期しない（同期なし）状態である。このとき、第１電流センサ５２ａにより検出された電流とＵ相線１７ａの電圧とから導出された電圧の符号が負である状態である。
【００５６】
ｃパターンは、Ｕ相スイッチ５４ａがオンされた場合に、第１および第２電流センサ５２ａ，５２ｂによって検出された電流の両方が、Ｕ相スイッチ５４ａのオンに同期する（同期あり）状態である。このとき、第１電流センサ５２ａにより検出された電流とＵ相線１７ａの電圧とから導出された電圧の符号が正である状態である。また、第２電流センサ５２ｂにより検出された電流とＶ相線１７ｂの電圧とから導出された電圧の符号が正である状態である。
【００５７】
ｄパターンは、Ｕ相スイッチ５４ａがオンされた場合に、第１および第２電流センサ５２ａ，５２ｂによって検出された電流の両方が、Ｕ相スイッチ５４ａのオンに同期する（同期あり）状態である。このとき、第１電流センサ５２ａにより検出された電流とＵ相線１７ａの電圧とから導出された電圧の符号が負である状態である。また、第２電流センサ５２ｂにより検出された電流とＶ相線１７ｂの電圧とから導出された電圧の符号が正である状態である。
【００５８】
ｅパターンは、Ｕ相スイッチ５４ａがオンされた場合に、第１および第２電流センサ５２ａ，５２ｂによって検出された電流の両方が、Ｕ相スイッチ５４ａのオンに同期する（同期あり）状態である。このとき、第１電流センサ５２ａにより検出された電流とＵ相線１７ａの電圧とから導出された電圧の符号が正である状態である。また、第２電流センサ５２ｂにより検出された電流とＶ相線１７ｂの電圧とから導出された電圧の符号が負である状態である。
【００５９】
ｆパターンは、Ｕ相スイッチ５４ａがオンされた場合に、第１および第２電流センサ５２ａ，５２ｂによって検出された電流の両方が、Ｕ相スイッチ５４ａのオンに同期する（同期あり）状態である。このとき、第１電流センサ５２ａにより検出された電流とＵ相線１７ａの電圧とから導出された電圧の符号が負である状態である。また、第２電流センサ５２ｂにより検出された電流とＶ相線１７ｂの電圧とから導出された電圧の符号が負である状態である。
【００６０】
ｇパターンは、Ｕ相スイッチ５４ａがオンされた場合に、第１電流センサ５２ａによって検出された電流がＵ相スイッチ５４ａのオンに同期せず（同期ない）、第２電流センサ５２ｂによって検出された電流がＵ相スイッチ５４ａのオンに同期する（同期あり）状態である。このとき、第２電流センサ５２ｂにより検出された電流とＶ相線１７ｂの電圧とから導出された電圧の符号が正である状態である。
【００６１】
ｈパターンは、Ｕ相スイッチ５４ａがオンされた場合に、第１電流センサ５２ａによって検出された電流がＵ相スイッチ５４ａのオンに同期せず（同期ない）、第２電流センサ５２ｂによって検出された電流がＵ相スイッチ５４ａのオンに同期する（同期あり）状態である。このとき、第２電流センサ５２ｂにより検出された電流とＶ相線１７ｂの電圧とから導出された電圧の符号が負である状態である。
【００６２】
ｉパターンは、Ｕ相スイッチ５４ａがオンされた場合に、第１および第２電流センサ５２ａ，５２ｂによって検出された電流の両方が、Ｕ相スイッチ５４ａのオンに同期しない（同期なし）状態である。
【００６３】
「Ｖ相スイッチ５４ｂをオンしたときの第１および第２電流センサ５２ａ，５２ｂの検出状態」欄には、Ｖ相スイッチ５４ｂをオンしたときの第１および第２電流センサ５２ａ，５２ｂの検出状態を示している。この検出状態は、次の４つの項目から構成されている。１つ目は、Ｖ相スイッチ５４ｂをオンしたときの第１電流センサ５２ａによる検出結果とＵ相線１７ａの電圧とから導出される電力の符号の状態である。２つ目は、Ｖ相スイッチ５４ｂをオンしたときの第２電流センサ５２ｂによる検出結果とＶ相線１７ｂの電圧とから導出される電力の符号の状態である。３つ目は、Ｖ相スイッチ５４ｂをオンしたときに第１電流センサ５２ａの検出結果とＶ相スイッチ５４ｂとが同期があるかないかのいずれかの状態である。そして、４つ目は、およびＶ相スイッチ５４ｂをオンしたときに第２電流センサ５２ｂの検出結果とＶ相スイッチ５４ｂとが同期があるかないかのいずれかの状態である。これら４つの項目の組み合わせにより検出状態は図５に示す表３に示すように９つのパターンがある。
【００６４】
図５に示す表３においては、図４に示す表２とは次の点で異なる。表２においては、Ｕ相スイッチ５４ａをオンすることを前提としたが、表３においては、Ｖ相スイッチ５４ｂをオンすることを前提としている点、および第１電流センサ５２ａと第２電流センサ５２ｂとの検出結果を逆にしている点が異なっている。
【００６５】
図３に示すように、「判定結果」欄には、「正常」、「補正」および「異常」が記載されている。判定結果が「正常」である場合には、第１および第２電流センサ５２ａ，５２ｂは正常な取付位置および取付方向で取り付けられているので、第１および第２電流センサ５２ａ，５２ｂから取得した検出結果をそのまま使用すればよい。判定結果が「補正」である場合には、第１および第２電流センサ５２ａ，５２ｂは正常な取付位置および取付方向で取り付けられていないが、第１および第２電流センサ５２ａ，５２ｂから取得した検出結果の正負を逆にしたり取得した検出結果を交換したり（入れ替えたり）して使用すればよい。判定結果が「異常」である場合には、前述したように補正することができないため、第１および第２電流センサ５２ａ，５２ｂから取得した検出結果を使用することができない。よって、ユーザにその旨を警告する。
【００６６】
図３に示す表１においては、番号は１から３６まである。第１および第２電流センサ５２ａ，５２ｂが装着される可能性のある電線は、Ｕ相線１５ａ、Ｖ相線１５ｂおよびＮ相線１５ｃの３本である。第１および第２電流センサ５２ａ，５２ｂは異なる電線に装着される場合だけでなく、同一の電線に装着される場合もある。よって、図３に示すように、第１および第２電流センサ５２ａ，５２ｂがＵ相線１５ａ、Ｖ相線１５ｂにそれぞれ装着される場合（１〜４）、この逆に装着される場合（５〜８）、第１および第２電流センサ５２ａ，５２ｂがＵ相線１５ａ、Ｎ相線１５ｃにそれぞれ装着される場合（９〜１２）、この逆に装着される場合（１３〜１６）、第１および第２電流センサ５２ａ，５２ｂがＮ相線１５ｃ、Ｖ相線１５ｂにそれぞれ装着される場合（１７〜２０）、この逆に装着される場合（２１〜２４）、第１および第２電流センサ５２ａ，５２ｂがＵ相線１５ａに装着される場合（２５〜２８）、第１および第２電流センサ５２ａ，５２ｂがＮ相線１５ｃに装着される場合（２９〜３２）、ならびに第１および第２電流センサ５２ａ，５２ｂがＶ相線１５ｂに装着される場合（３３〜３６）、の９通りがある。
【００６７】
そして、前述した９通りの各パターンにおいて、第１および第２電流センサ５２ａ，５２ｂの取付方向が正逆の組み合わせで４通りある。よって、第１および第２電流センサ５２ａ，５２ｂの装着位置および装着方向の組み合わせは全部で３６通りのパターンが存在する。
【００６８】
前述した装着位置および装着方向の各パターンにおける、第１および第２電流センサ５２ａ，５２ｂの各検出状態について説明する。なお、発電機１１は発電停止状態であり、切替スイッチ５１ａ，５１ｂは連通状態であり、第１の電力負荷２１は使用されておらず第１の電力負荷２１において電力は消費されていない状態（待機状態などであってほとんど消費されていない場合（例えば数Ｗ）も含む）であり、Ｕ相線１７ａの電圧とＶ相線１７ｂの電圧とは位相が逆であることを前提とする。
【００６９】
番号１においては、図６に示すように、第１および第２電流センサ５２ａ，５２ｂはＵ相線１５ａおよびＶ相線１５ｂにそれぞれ正常な方向に装着されている。このとき、Ｕ相スイッチ５４ａのみがオンされると、発電機１１から電力供給はなく系統電源１６からのみ電力供給があるため、第１電流センサ５２ａは、電圧センサ１０ａ１で検出された電圧と同位相の電流を検出するため、電力符号は正となる。第１電流センサ５２ａは、第１の電力負荷２１ａでは電力が消費されていないので第２の電力負荷１９ａで消費される電流値を検出する。また、第２電流センサ５２ｂは、Ｖ相スイッチ５４ｂはオフのままでありかつ第１の電力負荷２１ｂでは電力が消費されていないので、電流を検出しない。
【００７０】
この場合の検出状態は、第１電流センサ５２ａの検出結果とＵ相スイッチ５４ａとは同期ありの状態であり、第１電流センサ５２ａの検出結果に係る電力符合は正である状態であり、第２電流センサ５２ｂの検出結果とＵ相スイッチ５４ａとは同期なしの状態である。よって、番号１におけるＵ相スイッチ５４ａのオン時の第１および第２電流センサ５２ａ，５２ｂの検出状態は図４の表２に示すａパターンである。
【００７１】
また、Ｖ相スイッチ５４ｂのみがオンされると、発電機１１から電力供給はなく系統電源１６からのみ電力供給があるため、第２電流センサ５２ｂは、電圧センサ１０ａ２で検出された電圧と同位相の電流を検出するため、電力符号は正となる。第２電流センサ５２ｂは、第１の電力負荷２１ｂでは電力が消費されていないので第２の電力負荷１９ｂで消費される電流値を検出する。また、第１電流センサ５２ａは、Ｕ相スイッチ５４ａはオフのままでありかつ第１の電力負荷２１ａでは電力が消費されていないので、電流を検出しない。
【００７２】
この場合の検出状態は、第２電流センサ５２ｂの検出結果とＶ相スイッチ５４ｂとは同期ありの状態であり、第２電流センサ５２ｂの検出結果に係る電力符合は正である状態であり、第１電流センサ５２ａの検出結果とＶ相スイッチ５４ｂとは同期なしの状態である。よって、番号１におけるＶ相スイッチ５４ｂのオン時の第１および第２電流センサ５２ａ，５２ｂの検出状態は図５の表３に示すａパターンである。
【００７３】
番号２においては、図７に示すように、第１電流センサ５２はＵ相線１５ａに逆方向に装着され、第２電流センサ５２ｂはＶ相線１５ｂに正常な方向に装着されている。このとき、Ｕ相スイッチ５４ａのみがオンされると、発電機１１から電力供給はなく系統電源１６からのみ電力供給があるが、第１電流センサ５２ａが逆方向に装着されているため、第１電流センサ５２ａは、電圧センサ１０ａ１で検出された電圧と同位相の電流を検出するものの出力値は正負逆となるため、電力符号は負となる。第１電流センサ５２ａは、第１の電力負荷２１ａでは電力が消費されていないので第２の電力負荷１９ａで消費される電流値を検出する。また、第２電流センサ５２ｂは、Ｖ相スイッチ５４ｂはオフのままでありかつ第１の電力負荷２１ｂでは電力が消費されていないので、電流を検出しない。
【００７４】
この場合の検出状態は、第１電流センサ５２ａの検出結果とＵ相スイッチ５４ａとは同期ありの状態であり、第１電流センサ５２ａの検出結果に係る電力符合は負である状態であり、第２電流センサ５２ｂの検出結果とＵ相スイッチ５４ａとは同期なしの状態である。よって、番号２におけるＵ相スイッチ５４ａのオン時の第１および第２電流センサ５２ａ，５２ｂの検出状態は図４の表２に示すｂパターンである。
【００７５】
また、Ｖ相スイッチ５４ｂのみがオンされた場合は、番号１と同様の理由により、番号２におけるＶ相スイッチ５４ｂのオン時の第１および第２電流センサ５２ａ，５２ｂの検出状態は図５の表３に示すａパターンである。
【００７６】
番号３においては、図８に示すように、第１電流センサ５２はＵ相線１５ａに正常な方向に装着され、第２電流センサ５２ｂはＶ相線１５ｂに逆方向に装着されている。このとき、Ｕ相スイッチ５４ａのみがオンされた場合は、番号１と同様の理由により、番号３におけるＵ相スイッチ５４ａのオン時の第１および第２電流センサ５２ａ，５２ｂの検出状態は図４の表２に示すａパターンである。
【００７７】
また、Ｖ相スイッチ５４ｂのみがオンされると、発電機１１から電力供給はなく系統電源１６からのみ電力供給があるが、第２電流センサ５２ｂが逆方向に装着されているため、第２電流センサ５２ｂは、電圧センサ１０ａ２で検出された電圧と同位相の電流を検出するものの出力値は正負逆となるため、電力符号は負となる。第２電流センサ５２ｂは、第１の電力負荷２１ｂでは電力が消費されていないので第２の電力負荷１９ｂで消費される電流値を検出する。また、第１電流センサ５２ａは、Ｕ相スイッチ５４ａはオフのままでありかつ第１の電力負荷２１ａでは電力が消費されていないので、電流を検出しない。
【００７８】
この場合の検出状態は、第２電流センサ５２ｂの検出結果とＶ相スイッチ５４ｂとは同期ありの状態であり、第２電流センサ５２ｂの検出結果に係る電力符合は負である状態であり、第１電流センサ５２ａの検出結果とＶ相スイッチ５４ｂとは同期なしの状態である。よって、番号３におけるＶ相スイッチ５４ｂのオン時の第１および第２電流センサ５２ａ，５２ｂの検出状態は図５の表３に示すｂパターンである。
【００７９】
番号４においては、図９に示すように、第１および第２電流センサ５２ａ，５２ｂはＵ相線１５ａおよびＶ相線１５ｂにそれぞれ逆方向に装着されている。このとき、Ｕ相スイッチ５４ａのみがオンされた場合は、番号２と同様の理由により、番号４におけるＵ相スイッチ５４ａのオン時の第１および第２電流センサ５２ａ，５２ｂの検出状態は図４の表２に示すｂパターンである。
【００８０】
また、Ｖ相スイッチ５４ｂのみがオンされた場合は、番号３と同様の理由により、番号４におけるＶ相スイッチ５４ｂのオン時の第１および第２電流センサ５２ａ，５２ｂの検出状態は図５の表３に示すｂパターンである。
【００８１】
番号５においては、図１０に示すように、第１および第２電流センサ５２ａ，５２ｂはＶ相線１５ｂおよびＵ相線１５ａにそれぞれ正常な方向に装着されている。なお、第１および第２電流センサ５２ａ，５２ｂの正常な方向は、Ｕ相線１５ａおよびＶ相線１５ｂにそれぞれ装着されたときにおける取付方向が正常方向となるため、その取付方向と同一方向が第１および第２電流センサ５２ａ，５２ｂをＶ相線１５ｂおよびＵ相線１５ａに装着した際の正常な方向である。
【００８２】
このとき、Ｕ相スイッチ５４ａのみがオンされると、発電機１１から電力供給はなく系統電源１６からのみ電力供給があるため、第２電流センサ５２ｂは、電圧センサ１０ａ２で検出された電圧と逆位相の電流を検出するため（Ｕ相線１７ａとＶ相線１７ｂの電圧は逆位相であるため）電力符号は負となる。第２電流センサ５２ｂは、第１の電力負荷２１ａでは電力が消費されていないので第２の電力負荷１９ａで消費される電流値を検出する。また、第１電流センサ５２ａは、Ｖ相スイッチ５４ｂはオフのままでありかつ第１の電力負荷２１ｂでは電力が消費されていないので、電流を検出しない。
【００８３】
この場合の検出状態は、第１電流センサ５２ａの検出結果とＵ相スイッチ５４ａとは同期なしの状態であり、第２電流センサ５２ｂの検出結果とＵ相スイッチ５４ａとは同期ありの状態であり、第２電流センサ５２ｂの検出結果に係る電力符合は負である状態である。よって、番号５におけるＵ相スイッチ５４ａのオン時の第１および第２電流センサ５２ａ，５２ｂの検出状態は図４の表２に示すｈパターンである。
【００８４】
また、Ｖ相スイッチ５４ｂのみがオンされると、発電機１１から電力供給はなく系統電源１６からのみ電力供給があるため、第１電流センサ５２ａは、電圧センサ１０ａ２で検出された電圧と逆位相の電流を検出するため、電力符号は負となる。第１電流センサ５２ａは、第１の電力負荷２１ｂでは電力が消費されていないので第２の電力負荷１９ｂで消費される電流値を検出する。また、第２電流センサ５２ｂは、Ｕ相スイッチ５４ａはオフのままでありかつ第１の電力負荷２１ａでは電力が消費されていないので、電流を検出しない。
【００８５】
この場合の検出状態は、第１電流センサ５２ａの検出結果とＶ相スイッチ５４ｂとは同期ありの状態であり、第１電流センサ５２ａの検出結果に係る電力符合は負である状態であり、第２電流センサ５２ｂの検出結果とＶ相スイッチ５４ｂとは同期なしの状態である。よって、番号５におけるＶ相スイッチ５４ｂのオン時の第１および第２電流センサ５２ａ，５２ｂの検出状態は図５の表３に示すｈパターンである。
【００８６】
番号６においては、図１１に示すように、第１電流センサ５２はＶ相線１５ｂに逆方向に装着され、第２電流センサ５２ｂはＵ相線１５ａに正常な方向に装着されている。このとき、Ｕ相スイッチ５４ａのみがオンされた場合は、番号５と同様の理由により、番号６におけるＵ相スイッチ５４ａのオン時の第１および第２電流センサ５２ａ，５２ｂの検出状態は図４の表２に示すｈパターンである。
【００８７】
Ｖ相スイッチ５４ｂのみがオンされると、発電機１１から電力供給はなく系統電源１６からのみ電力供給があるため、第１電流センサ５２ａは、逆方向に装着されているので電圧センサ１０ａ１で検出された電圧と逆位相の電流を検出するものの出力値は正負逆となるため、電力符号は正となる。第１電流センサ５２ａは、第１の電力負荷２１ｂでは電力が消費されていないので第２の電力負荷１９ｂで消費される電流値を検出する。また、第２電流センサ５２ｂは、Ｕ相スイッチ５４ａはオフのままでありかつ第１の電力負荷２１ａでは電力が消費されていないので、電流を検出しない。
【００８８】
この場合の検出状態は、第１電流センサ５２ａの検出結果とＶ相スイッチ５４ｂとは同期ありの状態であり、第１電流センサ５２ａの検出結果に係る電力符合は正である状態であり、第２電流センサ５２ｂの検出結果とＶ相スイッチ５４ｂとは同期なしの状態である。よって、番号５におけるＶ相スイッチ５４ｂのオン時の第１および第２電流センサ５２ａ，５２ｂの検出状態は図５の表３に示すｇパターンである。
【００８９】
番号７においては、図１２に示すように、第１電流センサ５２はＶ相線１５ｂに正常な方向に装着され、第２電流センサ５２ｂはＵ相線１５ａに逆方向に装着されている。このとき、Ｕ相スイッチ５４ａのみがオンされると、発電機１１から電力供給はなく系統電源１６からのみ電力供給があるため、第２電流センサ５２ｂは、電圧センサ１０ａ２で検出された電圧と逆位相の電流を検出するものの出力値は正負逆となるため、電力符号は正となる。第２電流センサ５２ｂは、第１の電力負荷２１ａでは電力が消費されていないので第２の電力負荷１９ａで消費される電流値を検出する。また、第１電流センサ５２ａは、Ｖ相スイッチ５４ｂはオフのままでありかつ第１の電力負荷２１ｂでは電力が消費されていないので、電流を検出しない。
【００９０】
この場合の検出状態は、第１電流センサ５２ａの検出結果とＵ相スイッチ５４ａとは同期なしの状態であり、第２電流センサ５２ｂの検出結果とＵ相スイッチ５４ａとは同期ありの状態であり、第２電流センサ５２ｂの検出結果に係る電力符合は正である状態である。よって、番号７におけるＵ相スイッチ５４ａのオン時の第１および第２電流センサ５２ａ，５２ｂの検出状態は図４の表２に示すｇパターンである。
【００９１】
Ｖ相スイッチ５４ｂのみがオンされた場合は、番号５と同様の理由により、番号７におけるＵ相スイッチ５４ａのオン時の第１および第２電流センサ５２ａ，５２ｂの検出状態は図５の表３に示すｈパターンである。
【００９２】
番号８においては、図１３に示すように、第１および第２電流センサ５２ａ，５２ｂはＶ相線１５ｂおよびＵ相線１５ａにそれぞれ逆方向に装着されている。このとき、Ｕ相スイッチ５４ａのみがオンされた場合は、番号７と同様の理由により、番号８におけるＵ相スイッチ５４ａのオン時の第１および第２電流センサ５２ａ，５２ｂの検出状態は図４の表２に示すｇパターンである。
また、Ｖ相スイッチ５４ｂのみがオンされた場合は、番号６と同様の理由により、番号８におけるＶ相スイッチ５４ｂのオン時の第１および第２電流センサ５２ａ，５２ｂの検出状態は図５の表３に示すｇパターンである。
【００９３】
番号９においては、図１４に示すように、第１および第２電流センサ５２ａ，５２ｂはＵ相線１５ａおよびＮ相線１５ｃにそれぞれ正常な方向に装着されている。
このとき、Ｕ相スイッチ５４ａのみがオンされると、発電機１１から電力供給はなく系統電源１６からのみ電力供給があるため、第１電流センサ５２ａは、電圧センサ１０ａ１で検出された電圧と同位相の電流を検出するため、電力符号は正となる。第１電流センサ５２ａは、第１の電力負荷２１ａでは電力が消費されていないので第２の電力負荷１９ａで消費される電流値を検出する。また、Ｎ相線１５ｃの電圧はＵ相線１５ａの電圧に対して逆位相であり、かつＵ相線１７ａの電圧はＶ相線１７ｂの電圧に対して逆位相であるため、第２電流センサ５２ｂは、電圧センサ１０ａ２で検出された電圧と同位相の電流を検出するので、電力符号は正となる。第２電流センサ５２ｂは、第１の電力負荷２１ａでは電力が消費されていないので第２の電力負荷１９ａで消費される電流値を検出する。
【００９４】
この場合の検出状態は、第１電流センサ５２ａの検出結果とＵ相スイッチ５４ａとは同期ありの状態であり、第１電流センサ５２ａの検出結果に係る電力符合は正である状態である。第２電流センサ５２ｂの検出結果とＵ相スイッチ５４ａとは同期ありの状態であり、第２電流センサ５２ｂの検出結果に係る電力符合は正である状態である。よって、番号９におけるＵ相スイッチ５４ａのオン時の第１および第２電流センサ５２ａ，５２ｂの検出状態は図４の表２に示すｃパターンである。
【００９５】
また、Ｖ相スイッチ５４ｂのみがオンされると、Ｎ相線１５ｃの電圧はＶ相線１５ｂの電圧に対して逆位相であるため、第２電流センサ５２ｂは、電圧センサ１０ａ２で検出された電圧と逆位相の電流を検出するので、電力符号は負となる。第２電流センサ５２ｂは、第１の電力負荷２１ｂでは電力が消費されていないので第２の電力負荷１９ｂで消費される電流値を検出する。また、第１電流センサ５２ａは、Ｕ相スイッチ５４ａはオフのままでありかつ第１の電力負荷２１ａでは電力が消費されていないので、電流を検出しない。
【００９６】
この場合の検出状態は、第１電流センサ５２ａの検出結果とＶ相スイッチ５４ｂとは同期なしの状態であり、第２電流センサ５２ｂの検出結果とＶ相スイッチ５４ｂとは同期ありの状態であり、第２電流センサ５２ｂの検出結果に係る電力符合は負である状態である。よって、番号９におけるＶ相スイッチ５４ｂのオン時の第１および第２電流センサ５２ａ，５２ｂの検出状態は図５の表３に示すｂパターンである。
【００９７】
番号１０においては、図１５に示すように、第１電流センサ５２ａはＵ相線１５ａに逆方向に装着され、第２電流センサ５２ｂはＮ相線１５ｃに正常な方向に装着されている。
この場合、第１電流センサ５２ａの出力が正負逆になるため、Ｕ相スイッチ５４ａのみがオンされた場合は、番号９において、第１電流センサ５２ａの検出結果に係る電力符合は正でなく負となる。よって、検出状態は、番号９と比較して、第１電流センサ５２ａの検出結果に係る電力符合が負となる点のみが異なる。よって、番号１０におけるＵ相スイッチ５４ａのオン時の第１および第２電流センサ５２ａ，５２ｂの検出状態は図４の表２に示すｄパターンである。
また、Ｖ相スイッチ５４ｂのみがオンされた場合は、番号９と同様の理由により、番号１０におけるＶ相スイッチ５４ｂのオン時の第１および第２電流センサ５２ａ，５２ｂの検出状態は図５の表３に示すｂパターンである。
【００９８】
番号１１においては、図１６に示すように、第１電流センサ５２ａはＵ相線１５ａに正常な方向に装着され、第２電流センサ５２ｂはＮ相線１５ｃに逆方向に装着されている。
この場合、第２電流センサ５２ｂの出力が正負逆になるため、Ｕ相スイッチ５４ａのみがオンされた場合は、番号９において、第２電流センサ５２ａの検出結果に係る電力符合は正でなく負となる。よって、検出状態は、番号９と比較して、第２電流センサ５２ａの検出結果に係る電力符合が負となる点のみが異なる。よって、番号１１におけるＵ相スイッチ５４ａのオン時の第１および第２電流センサ５２ａ，５２ｂの検出状態は図４の表２に示すｅパターンである。
また、Ｖ相スイッチ５４ｂのみがオンされた場合は、第２電流センサ５２ｂの出力が正負逆になるため、番号９において、第２電流センサ５２ａの検出結果に係る電力符合は負でなく正となる。よって、検出状態は、番号９と比較して、第２電流センサ５２ａの検出結果に係る電力符合が正となる点のみが異なる。よって、番号１１におけるＶ相スイッチ５４ｂのオン時の第１および第２電流センサ５２ａ，５２ｂの検出状態は図５の表３に示すａパターンである。
【００９９】
番号１２においては、図１７に示すように、第１電流センサ５２ａはＵ相線１５ａに逆方向に装着され、第２電流センサ５２ｂはＮ相線１５ｃに逆方向に装着されている。
この場合、第１および第２電流センサ５２ａ，５２ｂの出力が正負逆になるため、Ｕ相スイッチ５４ａのみがオンされた場合は、番号９において、第１および第２電流センサ５２ａ，５２ｂの検出結果に係る電力符合はそれぞれ正でなく負となる。よって、検出状態は、番号９と比較して、第１および第２電流センサ５２ａ，５２ｂの両方の検出結果に係る電力符合が負となる点のみが異なる。よって、番号１２におけるＵ相スイッチ５４ａのオン時の第１および第２電流センサ５２ａ，５２ｂの検出状態は図４の表２に示すｆパターンである。
また、Ｖ相スイッチ５４ｂのみがオンされた場合は、番号１１と同様の理由により、番号１２におけるＶ相スイッチ５４ｂのオン時の第１および第２電流センサ５２ａ，５２ｂの検出状態は図５の表３に示すａパターンである。
【０１００】
番号１３から番号２４までについては、各番号１３〜２４に対するＵ相スイッチ５４ａおよびＶ相スイッチ５４ｂのオン時の第１および第２電流センサ５２ａ，５２ｂの検出状態を簡単に説明する。なお、上述した番号１から番号１２までの理由を参照することにより、番号１３から番号２４までの理由は説明できるので、その詳細は省略する。
【０１０１】
番号１３においては、図３に示すように、第１電流センサ５２ａはＮ相線１５ｃに正常な方向に装着され、第２電流センサ５２ｂはＵ相線１５ａに正常な方向に装着されている。番号１３における、Ｕ相スイッチ５４ａのオン時の第１および第２電流センサ５２ａ，５２ｂの検出状態は図４の表２に示すｆパターンであり、Ｖ相スイッチ５４ｂのオン時の第１および第２電流センサ５２ａ，５２ｂの検出状態は図５の表３に示すｇパターンである。
【０１０２】
番号１４においては、図３に示すように、第１電流センサ５２ａはＮ相線１５ｃに逆方向に装着され、第２電流センサ５２ｂはＵ相線１５ａに正常な方向に装着されている。番号１４における、Ｕ相スイッチ５４ａのオン時の第１および第２電流センサ５２ａ，５２ｂの検出状態は図４の表２に示すｅパターンであり、Ｖ相スイッチ５４ｂのオン時の第１および第２電流センサ５２ａ，５２ｂの検出状態は図５の表３に示すｈパターンである。
【０１０３】
番号１５においては、図３に示すように、第１電流センサ５２ａはＮ相線１５ｃに正常な方向に装着され、第２電流センサ５２ｂはＵ相線１５ａに逆方向に装着されている。番号１５における、Ｕ相スイッチ５４ａのオン時の第１および第２電流センサ５２ａ，５２ｂの検出状態は図４の表２に示すｄパターンであり、Ｖ相スイッチ５４ｂのオン時の第１および第２電流センサ５２ａ，５２ｂの検出状態は図５の表３に示すｇパターンである。
【０１０４】
番号１６においては、図３に示すように、第１電流センサ５２ａはＮ相線１５ｃに逆方向に装着され、第２電流センサ５２ｂはＵ相線１５ａに逆方向に装着されている。番号１６における、Ｕ相スイッチ５４ａのオン時の第１および第２電流センサ５２ａ，５２ｂの検出状態は図４の表２に示すｃパターンであり、Ｖ相スイッチ５４ｂのオン時の第１および第２電流センサ５２ａ，５２ｂの検出状態は図５の表３に示すｈパターンである。
【０１０５】
番号１７においては、図３に示すように、第１電流センサ５２ａはＮ相線１５ｃに正常な方向に装着され、第２電流センサ５２ｂはＶ相線１５ｂに正常な方向に装着されている。番号１７における、Ｕ相スイッチ５４ａのオン時の第１および第２電流センサ５２ａ，５２ｂの検出状態は図４の表２に示すｂパターンであり、Ｖ相スイッチ５４ｂのオン時の第１および第２電流センサ５２ａ，５２ｂの検出状態は図５の表３に示すｃパターンである。
【０１０６】
番号１８においては、図３に示すように、第１電流センサ５２ａはＮ相線１５ｃに逆方向に装着され、第２電流センサ５２ｂはＶ相線１５ｂに正常な方向に装着されている。番号１８における、Ｕ相スイッチ５４ａのオン時の第１および第２電流センサ５２ａ，５２ｂの検出状態は図４の表２に示すａパターンであり、Ｖ相スイッチ５４ｂのオン時の第１および第２電流センサ５２ａ，５２ｂの検出状態は図５の表３に示すｅパターンである。
【０１０７】
番号１９においては、図３に示すように、第１電流センサ５２ａはＮ相線１５ｃに正常な方向に装着され、第２電流センサ５２ｂはＶ相線１５ｂに逆方向に装着されている。番号１９における、Ｕ相スイッチ５４ａのオン時の第１および第２電流センサ５２ａ，５２ｂの検出状態は図４の表２に示すｂパターンであり、Ｖ相スイッチ５４ｂのオン時の第１および第２電流センサ５２ａ，５２ｂの検出状態は図５の表３に示すｄパターンである。
【０１０８】
番号２０においては、図３に示すように、第１電流センサ５２ａはＮ相線１５ｃに逆方向に装着され、第２電流センサ５２ｂはＶ相線１５ｂに逆方向に装着されている。番号２０における、Ｕ相スイッチ５４ａのオン時の第１および第２電流センサ５２ａ，５２ｂの検出状態は図４の表２に示すａパターンであり、Ｖ相スイッチ５４ｂのオン時の第１および第２電流センサ５２ａ，５２ｂの検出状態は図５の表３に示すｆパターンである。
【０１０９】
番号２１においては、図３に示すように、第１電流センサ５２ａはＶ相線１５ｂに正常な方向に装着され、第２電流センサ５２ｂはＮ相線１５ｃに正常な方向に装着されている。番号２１における、Ｕ相スイッチ５４ａのオン時の第１および第２電流センサ５２ａ，５２ｂの検出状態は図４の表２に示すｇパターンであり、Ｖ相スイッチ５４ｂのオン時の第１および第２電流センサ５２ａ，５２ｂの検出状態は図５の表３に示すｆパターンである。
【０１１０】
番号２２においては、図３に示すように、第１電流センサ５２ａはＶ相線１５ｂに逆方向に装着され、第２電流センサ５２ｂはＮ相線１５ｃに正常な方向に装着されている。番号２２における、Ｕ相スイッチ５４ａのオン時の第１および第２電流センサ５２ａ，５２ｂの検出状態は図４の表２に示すｇパターンであり、Ｖ相スイッチ５４ｂのオン時の第１および第２電流センサ５２ａ，５２ｂの検出状態は図５の表３に示すｄパターンである。
【０１１１】
番号２３においては、図３に示すように、第１電流センサ５２ａはＶ相線１５ｂに正常な方向に装着され、第２電流センサ５２ｂはＮ相線１５ｃに逆方向に装着されている。番号２３における、Ｕ相スイッチ５４ａのオン時の第１および第２電流センサ５２ａ，５２ｂの検出状態は図４の表２に示すｈパターンであり、Ｖ相スイッチ５４ｂのオン時の第１および第２電流センサ５２ａ，５２ｂの検出状態は図５の表３に示すｅパターンである。
【０１１２】
番号２４においては、図３に示すように、第１電流センサ５２ａはＶ相線１５ｂに逆方向に装着され、第２電流センサ５２ｂはＮ相線１５ｃに逆方向に装着されている。番号２４における、Ｕ相スイッチ５４ａのオン時の第１および第２電流センサ５２ａ，５２ｂの検出状態は図４の表２に示すｈパターンであり、Ｖ相スイッチ５４ｂのオン時の第１および第２電流センサ５２ａ，５２ｂの検出状態は図５の表３に示すｃパターンである。
【０１１３】
これまでは、第１および第２電流センサ５２ａ，５２ｂが異なる線に装着された場合について説明したが、以下、第１および第２電流センサ５２ａ，５２ｂが同一線に装着される場合について説明する。
【０１１４】
番号２５においては、図１８に示すように、第１および第２電流センサ５２ａ，５２ｂはＵ相線１５ａにそれぞれ正常な方向に装着されている。
このとき、Ｕ相スイッチ５４ａのみがオンされると、発電機１１から電力供給はなく系統電源１６からのみ電力供給があるため、第１電流センサ５２ａは、電圧センサ１０ａ１で検出された電圧と同位相の電流を検出するため、電力符号は正となる。第１電流センサ５２ａは、第１の電力負荷２１ａでは電力が消費されていないので第２の電力負荷１９ａで消費される電流値を検出する。また、第２電流センサ５２ｂは、電圧センサ１０ａ２で検出された電圧と逆位相の電流を検出するため、電力符号は負となる。第２電流センサ５２ｂは、第１の電力負荷２１ａでは電力が消費されていないので第２の電力負荷１９ａで消費される電流値を検出する。
【０１１５】
この場合の検出状態は、第１電流センサ５２ａの検出結果とＵ相スイッチ５４ａとは同期ありの状態であり、第１電流センサ５２ａの検出結果に係る電力符合は正である状態である。第２電流センサ５２ｂの検出結果とＵ相スイッチ５４ａとは同期ありの状態であり、第２電流センサ５２ｂの検出結果に係る電力符合は負である状態である。よって、番号２５におけるＵ相スイッチ５４ａのオン時の第１および第２電流センサ５２ａ，５２ｂの検出状態は図４の表２に示すｅパターンである。
【０１１６】
また、Ｖ相スイッチ５４ａのみがオンされても、Ｕ相スイッチ５４ａはオフのままでありかつ第１の電力負荷２１ａでは電力が消費されていないので、第１および第２電流センサ５２ａ，５２ｂのいずれも電流を検出しない。この場合の検出状態は、第１電流センサ５２ａの検出結果とＶ相スイッチ５４ｂとは同期なしの状態であり、第２電流センサ５２ｂの検出結果とＶ相スイッチ５４ｂとは同期なしの状態である。よって、番号２５におけるＶ相スイッチ５４ｂのオン時の第１および第２電流センサ５２ａ，５２ｂの検出状態は図５の表３に示すｉパターンである。
【０１１７】
番号２６においては、図１９に示すように、第１電流センサ５２ａはＵ相線１５ａに逆方向に装着され、第２電流センサ５２ｂはＵ相線１５ａに正常な方向に装着されている。
この場合、第１電流センサ５２ａの出力が正負逆になるため、Ｕ相スイッチ５４ａのみがオンされた場合は、番号２５において、第１電流センサ５２ａの検出結果に係る電力符合は正でなく負となる。よって、検出状態は、番号２５と比較して、第１電流センサ５２ａの検出結果に係る電力符合が負となる点のみが異なる。よって、番号２６におけるＵ相スイッチ５４ａのオン時の第１および第２電流センサ５２ａ，５２ｂの検出状態は図４の表２に示すｆパターンである。
また、Ｖ相スイッチ５４ｂのみがオンされた場合は、番号２５と同様の理由により、番号２６におけるＶ相スイッチ５４ｂのオン時の第１および第２電流センサ５２ａ，５２ｂの検出状態は図５の表３に示すｉパターンである。
【０１１８】
番号２７においては、図２０に示すように、第１電流センサ５２ａはＵ相線１５ａに正常な方向に装着され、第２電流センサ５２ｂはＵ相線１５ａに逆方向に装着されている。
この場合、第２電流センサ５２ｂの出力が正負逆になるため、Ｕ相スイッチ５４ａのみがオンされた場合は、番号２５において、第２電流センサ５２ｂの検出結果に係る電力符合は負でなく正となる。よって、検出状態は、番号２５と比較して、第２電流センサ５２ｂの検出結果に係る電力符合が正となる点のみが異なる。よって、番号２７におけるＵ相スイッチ５４ａのオン時の第１および第２電流センサ５２ａ，５２ｂの検出状態は図４の表２に示すｃパターンである。
また、Ｖ相スイッチ５４ｂのみがオンされた場合は、番号２５と同様の理由により、番号２７におけるＶ相スイッチ５４ｂのオン時の第１および第２電流センサ５２ａ，５２ｂの検出状態は図５の表３に示すｉパターンである。
【０１１９】
番号２８においては、図２１に示すように、第１電流センサ５２ａはＵ相線１５ａに逆方向に装着され、第２電流センサ５２ｂはＵ相線１５ａに逆方向に装着されている。
この場合、第１および第２電流センサ５２ａ，５２ｂの出力が正負逆になるため、Ｕ相スイッチ５４ａのみがオンされた場合は、番号２５において、第１および第２電流センサ５２ａ，５２ｂの検出結果に係る電力符合はそれぞれ正負が逆になる。よって、検出状態は、番号２５と比較して、第１および第２電流センサ５２ａ，５２ｂの検出結果に係る電力符合が負および正となる点のみが異なる。よって、番号２８におけるＵ相スイッチ５４ａのオン時の第１および第２電流センサ５２ａ，５２ｂの検出状態は図４の表２に示すｄパターンである。
また、Ｖ相スイッチ５４ｂのみがオンされた場合は、番号２５と同様の理由により、番号２８におけるＶ相スイッチ５４ｂのオン時の第１および第２電流センサ５２ａ，５２ｂの検出状態は図５の表３に示すｉパターンである。
【０１２０】
番号２９から番号３６までについては、各番号２９〜３６に対するＵ相スイッチ５４ａおよびＶ相スイッチ５４ｂのオン時の第１および第２電流センサ５２ａ，５２ｂの検出状態を簡単に説明する。なお、上述した番号１から番号１２までおよび番号２５から番号２８までの理由を参照することにより、番号２９から番号３６までの理由は説明できるので、その詳細は省略する。
【０１２１】
番号２９においては、図３に示すように、第１電流センサ５２ａはＮ相線１５ｃに正常な方向に装着され、第２電流センサ５２ｂはＮ相線１５ｃに正常な方向に装着されている。番号２９における、Ｕ相スイッチ５４ａのオン時の第１および第２電流センサ５２ａ，５２ｂの検出状態は図４の表２に示すｄパターンであり、Ｖ相スイッチ５４ｂのオン時の第１および第２電流センサ５２ａ，５２ｂの検出状態は図５の表３に示すｄパターンである。
【０１２２】
番号３０においては、図３に示すように、第１電流センサ５２ａはＮ相線１５ｃに逆方向に装着され、第２電流センサ５２ｂはＮ相線１５ｃに正常な方向に装着されている。番号３０における、Ｕ相スイッチ５４ａのオン時の第１および第２電流センサ５２ａ，５２ｂの検出状態は図４の表２に示すｃパターンであり、Ｖ相スイッチ５４ｂのオン時の第１および第２電流センサ５２ａ，５２ｂの検出状態は図５の表３に示すｆパターンである。
【０１２３】
番号３１においては、図３に示すように、第１電流センサ５２ａはＮ相線１５ｃに正常な方向に装着され、第２電流センサ５２ｂはＮ相線１５ｃに逆方向に装着されている。番号３１における、Ｕ相スイッチ５４ａのオン時の第１および第２電流センサ５２ａ，５２ｂの検出状態は図４の表２に示すｆパターンであり、Ｖ相スイッチ５４ｂのオン時の第１および第２電流センサ５２ａ，５２ｂの検出状態は図５の表３に示すｃパターンである。
【０１２４】
番号３２においては、図３に示すように、第１電流センサ５２ａはＮ相線１５ｃに逆方向に装着され、第２電流センサ５２ｂはＮ相線１５ｃに逆方向に装着されている。番号３２における、Ｕ相スイッチ５４ａのオン時の第１および第２電流センサ５２ａ，５２ｂの検出状態は図４の表２に示すｅパターンであり、Ｖ相スイッチ５４ｂのオン時の第１および第２電流センサ５２ａ，５２ｂの検出状態は図５の表３に示すｅパターンである。
【０１２５】
番号３３においては、図３に示すように、第１電流センサ５２ａはＶ相線１５ｂに正常な方向に装着され、第２電流センサ５２ｂはＶ相線１５ｂに正常な方向に装着されている。番号３３における、Ｕ相スイッチ５４ａのオン時の第１および第２電流センサ５２ａ，５２ｂの検出状態は図４の表２に示すｉパターンであり、Ｖ相スイッチ５４ｂのオン時の第１および第２電流センサ５２ａ，５２ｂの検出状態は図５の表３に示すｅパターンである。
【０１２６】
番号３４においては、図３に示すように、第１電流センサ５２ａはＶ相線１５ｂに逆方向に装着され、第２電流センサ５２ｂはＶ相線１５ｂに正常な方向に装着されている。番号３４における、Ｕ相スイッチ５４ａのオン時の第１および第２電流センサ５２ａ，５２ｂの検出状態は図４の表２に示すｉパターンであり、Ｖ相スイッチ５４ｂのオン時の第１および第２電流センサ５２ａ，５２ｂの検出状態は図５の表３に示すｃパターンである。
【０１２７】
番号３５においては、図３に示すように、第１電流センサ５２ａはＶ相線１５ｂに正常な方向に装着され、第２電流センサ５２ｂはＶ相線１５ｂに逆方向に装着されている。番号３５における、Ｕ相スイッチ５４ａのオン時の第１および第２電流センサ５２ａ，５２ｂの検出状態は図４の表２に示すｉパターンであり、Ｖ相スイッチ５４ｂのオン時の第１および第２電流センサ５２ａ，５２ｂの検出状態は図５の表３に示すｆパターンである。
【０１２８】
番号３６においては、図３に示すように、第１電流センサ５２ａはＶ相線１５ｂに逆方向に装着され、第２電流センサ５２ｂはＶ相線１５ｂに逆方向に装着されている。番号３６における、Ｕ相スイッチ５４ａのオン時の第１および第２電流センサ５２ａ，５２ｂの検出状態は図４の表２に示すｉパターンであり、Ｖ相スイッチ５４ｂのオン時の第１および第２電流センサ５２ａ，５２ｂの検出状態は図５の表３に示すｄパターンである。
【０１２９】
次に、上述した燃料電池システムの作動について説明する。制御装置４０は、図示しない起動スイッチがオンされると（あるいはユーザによって予め設定された起動開始時刻となったことにより自動的に起動が開始されると）、図２２に示すフローチャートに対応するプログラムの実行を開始する。
【０１３０】
ステップ１０２において、制御装置４０は、第１および第２電流センサ５２ａ，５２ｂに対する自動補正制御を開始する旨の指示があるかないかを判定する。この自動補正指示は、第１および第２電流センサ５２ａ，５２ｂの取付位置・取付方向を自動的に点検するための指示であり、設置時またはメンテナンス時（修理時）になされるものである。
【０１３１】
自動補正指示がないときは、制御装置４０は、ステップ１０２にて「ＮＯ」と判定し、本プログラムを一旦終了する。自動補正指示があるときは（設置時やメンテナンス時）、制御装置４０は、ステップ１０２にて「ＹＥＳ」と判定し、ステップをステップ１０４に進めて、以下の電流センサの自動補正処理を実行する。この自動補正処理は、第１および第２電流センサ５２ａ，５２ｂの取付位置・取付方向を自動的に点検し、点検結果である取付位置・取付方向に応じて電流センサによる検出結果を補正したり警告したりする処理である。
【０１３２】
制御装置４０は、Ｕ相スイッチ５４ａ（Ｕ相補機１９ａ）をオフからオンにした時の第１および第２電流センサ５２ａ，５２ｂの検出状態（状態）を確定するとともに（ステップ１０４〜１１６）、Ｖ相スイッチ５４ｂ（Ｖ相補機１９ｂ）をオフからオンにした時の第１および第２電流センサ５２ａ，５２ｂの検出状態（状態）を確定し（ステップ１２２〜１３４）、それらの検出状態から第１および第２電流センサ５２ａ，５２ｂの取付位置・取付方向を算出する（ステップ１３６）。
【０１３３】
最初に、Ｕ相スイッチ５４ａをオフからオンにした時の第１および第２電流センサ５２ａ，５２ｂの検出状態（状態）の確定処理について説明する。
【０１３４】
ステップ１０４において、制御装置４０は、Ｕ相スイッチ５４ａのオン時の第１および第２電流センサ５２ａ，５２ｂによる検出状態（Ｕ相スイッチ５４ａのオンに係る電流センサの検出状態）が確定していないか否かを判定する。Ｕ相スイッチ５４ａのオンに係る電流センサの検出状態が確定していない場合には、制御装置４０は、ステップ１０４にて「ＹＥＳ」と判定し、プログラムをステップ１０６に進める。Ｕ相スイッチ５４ａのオンに係る電流センサの検出状態が確定している場合には、制御装置４０は、ステップ１０４にて「ＮＯ」と判定し、プログラムをステップ１２２に進めて、後述するＶ相スイッチ５４ｂをオフからオンにした時の第１および第２電流センサ５２ａ，５２ｂの検出状態（状態）の確定処理を実施する。
【０１３５】
ステップ１０６において、制御装置４０は、リトライ回数が０回であるか否かを判定する。リトライ回数は、Ｕ相スイッチ５４ａのオンに係る電流センサの検出状態の確定処理が１回で終了しない場合、時間をおいて確定処理を再度実施する回数のことである。リトライ回数が０回である場合には、制御装置４０は、ステップ１０６にて「ＹＥＳ」と判定し、プログラムをステップ１０８に進める。リトライ回数が１回以上である場合には、制御装置４０は、ステップ１０６にて「ＮＯ」と判定し、プログラムをステップ１３８（後述する）に進める。
【０１３６】
ステップ１０８において、制御装置４０は、Ｕ相スイッチ５４ａがオン状態であるか否か（オン中であるか否か）すなわちＵ相補機である第２の電力負荷１９ａが駆動状態であるか否かを判定する。Ｕ相スイッチ５４ａがオン状態であるか否かは、制御装置４０がＵ相スイッチ５４ａにオン指令を出しているか否かにより判定する。Ｕ相スイッチ５４ａがオン状態でない場合には、制御装置４０は、ステップ１０８にて「ＮＯ」と判定し、Ｕ相スイッチ５４ａをオン状態にする（ステップ１１０〜１１４）。Ｕ相スイッチ５４ａがオン状態である場合には、制御装置４０は、ステップ１０８にて「ＹＥＳ」と判定し、Ｕ相スイッチ５４ａのオンに係る電流センサの検出状態の確定処理を実施する（ステップ１１６）。
【０１３７】
ステップ１１０において、制御装置４０は、Ｕ相補機である第２の電力負荷１９ａがオンされる前の第１電流センサ５２ａが装着された電線の電流の平均値および電力符号を算出して記憶する。具体的には、制御装置４０は、自動補正指示の時点からＵ相補機１９ａの動作が開始される時点までの期間（例えば４周期分）において、第１電流センサ５２ａによって検出された電流値（実効値）から平均値を算出するとともに、第１電流センサ５２ａによって検出された電流値と電流計１０ａ１によって検出された電圧値とから電力符号を導出する。電力符号は、その期間内において符号が同一である場合のその符号を記憶する。なお、算出された電流平均値の変動が所定電流閾値（例えば２．５Ａ）以上である場合や、電力符号が変動した場合には、時間をおいて再度電流平均値および電力符号を算出する。
【０１３８】
また、制御装置４０は、Ｕ相補機である第２の電力負荷１９ａがオンされる前の第２電流センサ５２ｂが装着された電線の電流の平均値および電力符号を算出して記憶する。具体的には、制御装置４０は、自動補正指示の時点からＵ相補機１９ａの動作が開始される時点までの期間（例えば４周期分）において、第２電流センサ５２ａによって検出された電流値（実効値）から平均値を算出するとともに、第２電流センサ５２ｂによって検出された電流値と電流計１０ａ２によって検出された電圧値とから電力符号を導出する。
【０１３９】
ステップ１１２において、制御装置４０は、ステップ１１０にて記憶した電流平均値に基づいて、電流を計測する計測回路４１を選択して切り替える。制御装置４０は、電流平均値（または最大電流値）が第１の電流閾値より小さい場合には、第１の計測回路４１ａを選択し、第１の電流閾値より大きい第２の電流閾値より小さい場合には、第２の計測回路４１ｂを選択し、その選択した計測回路４１に切り替え設定する。
【０１４０】
第１の電流閾値は、第１の計測回路４１ａの入力レンジを考慮して設定されるものである。例えば、第１の計測回路４１ａの入力レンジの上限値、またはその上限値より若干大きい値に設定される。また、第２の電流閾値は、第２の計測回路４１ｂの入力レンジを考慮して設定されるものである。例えば、第２の計測回路４１ｂの入力レンジの上限値、またはその上限値より若干大きい値に設定される。
【０１４１】
ステップ１１４において、制御装置４０は、Ｕ相スイッチ５４ａをオンして、Ｕ相補機１９ａをオンする（通電して稼動させる）。このオン状態は、後述するステップ２３８（図２３参照）によるＵ相スイッチ５４ａをオフするまでの所定時間（例えば約１秒間）だけ継続される。なお、商用電源が６０Ｈｚの地域では、所定時間は約９３３ｍｓ（約８３３ｍｓ（５０周期分）＋１００ｍｓ）であり、商用電源が５０Ｈｚの地域では、所定時間は１１００ｍｓ（１０００ｍｓ（５０周期分）＋１００ｍｓ）である。
【０１４２】
ステップ１１６において、制御装置４０は、Ｕ相スイッチ５４ａをオフからオンにした時の第１および第２電流センサ５２ａ，５２ｂの検出状態（状態）の確定処理を実施する。具体的には、制御装置６０は、図２３に示すＵ相スイッチオンに係るＣＴ状態確定処理サブルーチンに対応するプログラムを実施する。制御装置６０は、ステップ２０２において、Ｕ相補機１９ａをオンした後、所定時間（例えば１００ｍｓ）が経過していない場合には、「ＮＯ」と判定しプログラムをステップ２３６に進める。一方、制御装置６０は、ステップ２０２において、Ｕ相補機１９ａをオンした後、所定時間（例えば１００ｍｓ）が経過した場合には、「ＹＥＳ」と判定しプログラムをステップ２０４に進める。
【０１４３】
ステップ２０４において、制御装置４０は、先に記憶したＵ相補機１９ａのオン直前に記憶した第１電流センサ５２ａに係る電流平均値と第１電流センサ５２ａにより検出された電流値との偏差である電流変動量（第１電流センサに係る電流変動量）を算出する。また、制御装置４０は、先に記憶したＵ相補機１９ａのオン直前に記憶した第２電流センサ５２ｂに係る電流平均値と第２電流センサ５２ｂにより検出された電流値との偏差である電流変動量（第２電流センサに係る電流変動量）を算出する。
【０１４４】
ステップ２０６において、制御装置４０は、第１電流センサ５２ａにより検出された電流値と電力計１０ａ１により検出された電圧値とから電力およびその符号（第１電流センサに係る電力およびその符号）を算出する。また、制御装置４０は、第２電流センサ５２ｂにより検出された電流値と電力計１０ａ２により検出された電圧値とから電力およびその符号（第２電流センサに係る電力およびその符号）を算出する。
【０１４５】
ステップ２０８において、制御装置４０は、第１電流センサ５２ａの検出結果がＵ相スイッチ５４ａと同期しているか否かを判定する。具体的には、制御装置４０は、先にステップ２０４で算出された第１電流センサに係る電流変動量が所定範囲（上述した第１閾値（例えば１Ａ）以上であり第２閾値（例えば５．５Ａ）未満である範囲）である場合には、Ｕ相スイッチ５４ａのオン（Ｕ相補機１９ａのオン）と同期ありと判定する（ステップ２１０）。また、制御装置４０は、第１電流センサに係る電流変動量が所定範囲以外の範囲である場合には、Ｕ相スイッチ５４ａのオン（Ｕ相補機１９ａのオン）と同期なしと判定する（ステップ２１２）。
【０１４６】
ステップ２１４において、制御装置４０は、先に図２２に示すステップ１１０にて記憶したＵ相スイッチ５４ａ（Ｕ相補機１９ａ）がオンされる前の第１電流センサ５２ａに係る電力符号と、先に図２３に示すステップ２０６にて算出された第１電流センサ５２ａに係る電力符号とを比較する。制御装置４０は、両方の電力符号が正である場合には、第１電力センサ５２ａの検出結果に係る電力は、Ｕ相線１５ａと同位相であり、その符号は正であると判定する（ステップ２１６）。また、制御装置４０は、両方の電力符号が負である場合には、第１電力センサ５２ａの検出結果に係る電力は、Ｕ相線１５ａと逆位相であり、その符号は負であると判定する（ステップ２１８）。
【０１４７】
また、制御装置４０は、両方の電力符号が一致しない場合には、第１電力センサ５２ａの検出結果に係る電流は、Ｕ相スイッチ５４ａのオン前後において位相が反転しているため、Ｕ相スイッチ５４ａのオンに係る第１電流センサ５２ａの検出状態が正しく判定することができない。よって、制御装置４０は、検知不能であると判定する（ステップ２２０）。そして、制御装置４０は、プログラムを図２２に示すステップ１４２に進め、ステップ１４２において、第１および第２電流センサ５２ａ，５２ｂの取付状態が検知不能である旨の警告を実施する。警告は、表示器に表示したり音声発生器から発生させたりすることにより実施される。
【０１４８】
検知不能となる場合について番号９（図１４参照）を例に挙げて説明する。このとき、第１の電力負荷２１ａは０Ｗでなく５０Ｗの消費電力であり、第２の電力負荷２１ｂは０Ｗの消費電力であり、Ｕ相補機１９ａおよびＶ相補機１９ｂはそれぞれ１００Ｗの消費電力である。
【０１４９】
この場合の実際の動作パターンについて図２５を参照して説明する。番号９においては、上述したように、第１電流センサ５２ａがＵ相線１５ａに正常な方向に取り付けられ、第２電流センサ５２ｂがＮ相線１５ｃに正常な方向に取り付けられている。Ｕ相スイッチ５４ａがオンされる直前においては、第１電流センサ５２ａが検出する電流は第１の電力負荷２１ａ（５０Ｗ）によるため、第１電流センサ５２ａによって検出される電流平均値は０．５Ａであり、電力は５０Ｗ（０．５Ａ×１００Ｖ）であり、その符号は正である。また、第２電流センサ５２ｂが検出する電流は第１の電力負荷２１ａ（５０Ｗ）によるため、第２電流センサ５２ｂによって検出される電流平均値は０．５Ａであり、電力は５０Ｗ（０．５Ａ×１００Ｖ）であり、その符号は正である。
【０１５０】
Ｕ相スイッチ５４ａのオン中においては、第１電流センサ５２ａが検出する電流は第１の電力負荷２１ａ（５０Ｗ）に加えてＵ相補機１９ａ（１００Ｗ）によるため、第１電流センサ５２ａによって検出される電流平均値は１．５Ａである。よって、第１電力センサ５２ａは同期ありと判定される。また、電力は１５０Ｗ（１．５Ａ×１００Ｖ）であり、その符号は正である。さらに、第２電流センサ５２ｂが検出する電流は第１の電力負荷２１ａ（５０Ｗ）に加えてＵ相補機１９ａ（１００Ｗ）によるため、第２電流センサ５２ｂによって検出される電流平均値は１．５Ａである。よって、第２電力センサ５２ｂは同期ありと判定される。また、電力は１５０Ｗ（１．５Ａ×１００Ｖ）であり、その符号は正である。
【０１５１】
次に、Ｖ相スイッチ５４ｂがオンされる直前においては、Ｕ相スイッチ５４ａがオンされる直前と同様である。
【０１５２】
Ｖ相スイッチ５４ｂのオン中においては、第１電流センサ５２ａが検出する電流は第１の電力負荷２１ａ（５０Ｗ）によるため、第１電流センサ５２ａによって検出される電流平均値は０．５Ａである。よって、第１電流センサ５２ａは同期なしと判定される。また、電力は５０Ｗ（０．５Ａ×１００Ｖ）であり、その符号は正である。さらに、第２電流センサ５２ｂが検出する電流は第１の電力負荷２１ａ（５０Ｗ）に加えてＶ相補機１９ｂ（１００Ｗ）によるため、第２電流センサ５２ｂによって検出される電流平均値は０．５Ａである。よって、第２電流センサ５２ｂは同期なしと判定される。また、電力は−５０Ｗ（０．５Ａ×１００Ｖ）であり、その符号は負である。
【０１５３】
このような結果から、第１電流センサ５２ａの検出結果とＵ相スイッチ５４ａとは同期があり、第１電流センサ５２ａの検出結果に係る電力は正であり、第２電流センサ５２ｂの検出結果とＵ相スイッチ５４ａとは同期があり、第２電流センサ５２ｂの検出結果に係る電力は正である。よって、Ｕ相スイッチ５４ａのオン時の第１および第２電流センサ５２ａ，５２ｂの検出状態は図４の表２に示すｃパターンであると判定される。
【０１５４】
また、第１電流センサ５２ａの検出結果とＶ相スイッチ５４ｂとは同期がなく、第２電流センサ５２ｂの検出結果とＵ相スイッチ５４ａとは同期がない。よって、Ｖ相スイッチ５４ｂのオン時の第１および第２電流センサ５２ａ，５２ｂの検出状態は図５の表３に示すｉパターンであると判定される。
【０１５５】
これによれば、第１および第２電流センサ５２ａ，５２ｂの取付位置・取付方向は、図３の表２に基づいて番号２７と判定されてしまい、実際の取付状態とは異なる状態である誤判定をすることになる。よって、このような誤判定を抑制するために、Ｕ相補機１９ａ（またはＶ相補機１９ｂ）をオン前後の電力符号を比較して、一致しない場合には電流位相が反転していると判断して検知不能であると判定する。
【０１５６】
説明を図２３のフローチャートに戻す。ステップ２２２において、制御装置４０は、ステップ２０８と同様に、第２電流センサ５２ｂの検出結果がＵ相スイッチ５４ａと同期しているか否かを判定する。具体的には、制御装置４０は、先にステップ２０４で算出された第２電流センサに係る電流変動量が所定範囲（上述した第１閾値（例えば１Ａ）以上であり第２閾値（例えば５．５Ａ）未満である範囲）である場合には、Ｕ相スイッチ５４ａのオン（Ｕ相補機１９ａのオン）と同期ありと判定する（ステップ２２４）。また、制御装置４０は、第２電流センサに係る電流変動量が所定範囲以外の範囲である場合には、Ｕ相スイッチ５４ａのオン（Ｕ相補機１９ａのオン）と同期なしと判定する（ステップ２２６）。
【０１５７】
ステップ２２８において、制御装置４０は、ステップ２１４と同様に、先にステップ１１０にて記憶したＵ相スイッチ５４ａ（Ｕ相補機１９ａ）がオンされる前の第２電流センサ５２ｂに係る電力符号と、先にステップ２０６にて算出された第２電流センサ５２ｂに係る電力符号とを比較する。制御装置４０は、両方の電力符号が正である場合には、第２電力センサ５２ｂの検出結果に係る電力は、Ｖ相線１５ｂと同位相であり、その符号は正であると判定する（ステップ２３０）。また、制御装置４０は、両方の電力符号が負である場合には、第２電力センサ５２ｂの検出結果に係る電力は、Ｖ相線１５ｂと逆位相であり、その符号は負であると判定する（ステップ２３２）。
【０１５８】
また、制御装置４０は、両方の電力符号が一致しない場合には、第２電力センサ５２ｂの検出結果に係る電流は、Ｕ相スイッチ５４ａのオン前後において位相が反転しているため、Ｕ相スイッチ５４ａのオンに係る第２電流センサ５２ｂの検出状態が正しく判定することができない。よって、制御装置４０は、検知不能であると判定する（ステップ２２０）。
【０１５９】
ステップ２３４において、制御装置４０は、上述したステップ２０８からステップ２３２までの処理でそれぞれ取得した、第１電流センサ５２ａの検出結果とＵ相スイッチ５４ａとの同期状態、および第２電流センサ５２ｂの検出結果とＵ相スイッチ５４ａとの同期状態、ならびに第１電流センサ５２ａの検出結果に係る電力符号、および第２電流センサ５２ｂの検出結果に係る電力符号を使用して、Ｕ相スイッチオン時の第１および第２電流センサ５２ａ，５２ｂの検出状態を導出する。すなわち、制御装置４０は、図４の表２に示す９つのパターンに場合分けする。
【０１６０】
上述したステップ２０８からステップ２３４までの処理による、Ｕ相スイッチオン時の第１および第２電流センサ５２ａ，５２ｂについての検出状態の導出は、１周期毎に実施されており、Ｕ相スイッチ５４ａがオン中（約１秒間）である場合すなわち５０回実施される。
【０１６１】
ステップ２３６において、制御装置４０は、上述したステップ１１４にてＵ相スイッチ５４ａのオンを開始した時点から所定時間（例えば約１秒）が経過したか否かを判定する。所定時間が経過していない場合には、制御装置４０は、ステップ２３６にて「ＮＯ」と判定し、本サブルーチンを終了させる。所定時間が経過した場合には、制御装置４０は、ステップ２３６にて「ＹＥＳ」と判定し、プログラムをステップ２３８に進める。ステップ２３８において、制御装置４０は、Ｕ相スイッチ５４ａをオフして、Ｕ相補機１９ａをオフする（通電を停止して稼動を停止する）。
【０１６２】
ステップ２４０において、制御装置４０は、上述したステップ２０８からステップ２３４までの処理によって算出したＵ相スイッチオン時の第１および第２電流センサ５２ａ，５２ｂについての複数（５０セット）の検出状態のうち、７割以上が一致したか否かを判定する。７割以上が一致している場合には、制御装置４０は、ステップ２４０にて「ＹＥＳ」と判定し、Ｕ相スイッチオンに係る第１および第２電流センサ５２ａ，５２ｂの検出状態が確定していると判定する（ステップ２４２）。そして、制御装置４０は、ステップ２４４において、リトライ回数を０にクリアする。
【０１６３】
７割以上が一致していない場合には、制御装置４０は、ステップ２４０にて「ＮＯ」と判定し、Ｕ相スイッチオンに係る第１および第２電流センサ５２ａ，５２ｂの検出状態が確定していないと判定し、リトライ回数をインクリメントする（ステップ２４６）。
【０１６４】
制御装置４０は、Ｕ相スイッチオンに係る第１および第２電流センサ５２ａ，５２ｂの状態を確定処理が終了すると、プログラムを図２２に示すステップ１１８に進める。ステップ１１８において、制御装置４０は、Ｕ相スイッチオンに係る第１および第２電流センサ５２ａ，５２ｂの状態が確定し、かつ、Ｖ相スイッチオンに係る第１および第２電流センサ５２ａ，５２ｂの状態が確定し、かつ、第１および第２電流センサ５２ａ，５２ｂの状態が未確定であるか否かを判定する。
【０１６５】
Ｕ相スイッチオンに係る第１および第２電流センサ５２ａ，５２ｂの状態が確定し、かつ、Ｖ相スイッチオンに係る第１および第２電流センサ５２ａ，５２ｂの状態が確定し、かつ、第１および第２電流センサ５２ａ，５２ｂの状態が未確定である場合には、制御装置４０は、ステップ１１８にて「ＹＥＳ」と判定しプログラムをステップ１３６（後述する）に進める。一方、Ｕ相スイッチオンに係る第１および第２電流センサ５２ａ，５２ｂの状態が確定し、かつ、Ｖ相スイッチオンに係る第１および第２電流センサ５２ａ，５２ｂの状態が確定し、かつ、第１および第２電流センサ５２ａ，５２ｂの状態が未確定でない場合には、制御装置４０は、ステップ１１８にて「ＮＯ」と判定しプログラムをステップ１２０に進める。
【０１６６】
ステップ１２０において、制御装置４０は、リトライ回数が閾値（例えば、４回）以上であるか否かを判定する。リトライ回数が閾値未満である場合には、制御装置４０は、ステップ１２０にて「ＮＯ」と判定し本プログラムを一旦終了する。リトライ回数が閾値以上である場合には、制御装置４０は、ステップ１２０にて「ＹＥＳ」と判定しプログラムをステップ１４２に進め、第１および第２電流センサ５２ａ，５２ｂの取付状態が検知不能である旨の警告を実施する。
なお、リトライ回数は4回ですが、設定回数はシステムから変更可能である。また、電流センサの取付状態判定処理は４つの処理（Ｕ相の電流センサ検知処理（１秒）、Ｖ相の電流センサ検知処理（１秒）、Ｕ相の電流センサ検知処理（２秒）およびＶ相の電流センサ検知処理（２秒））で検出している。よって、各処理中に１回リトライがあっても電流センサの取り付け状態を検出できる様に閾値を設定している。
【０１６７】
次に、Ｖ相スイッチ５４ｂをオフからオンにした時の第１および第２電流センサ５２ａ，５２ｂの検出状態（状態）の確定処理について説明する。この確定処理は、上述したＵ相スイッチ５４ａをオフからオンにした時の第１および第２電流センサ５２ａ，５２ｂの検出状態（状態）の確定処理と同様の内容である。すなわち、ステップ１２２，１２６から１３４までの各処理は、ステップ１０４，１０８から１１６までの各処理と同様な内容である。異なる点は、Ｕ相スイッチ５４ａ（Ｕ相補機１９ａ）をオフからオンにしたことに代えてＶ相スイッチ５４ｂ（Ｖ相補機１９ｂ）をオフからオンにしたことである。
【０１６８】
ステップ１２４において、制御装置４０は、Ｖ相スイッチオンに係るＣＴの状態を確定する処理を実施（またはリトライ）する際に、所定時間をおいて実施するために、Ｕ相補機１９ａ（またはＶ相補機１９ｂ）をオフした後、所定時間（例えば１０００ｍｓ）を経過したか否かを判定する。Ｕ相補機１９ａ（またはＶ相補機１９ｂ）をオフした後、所定時間を経過していない場合、制御装置４０は、ステップ１２４にて「ＮＯ」と判定し、プログラムをステップ１１８に進める。Ｕ相補機１９ａ（またはＶ相補機１９ｂ）をオフした後、所定時間を経過した場合、制御装置４０は、ステップ１２４にて「ＹＥＳ」と判定し、プログラムをステップ１２６に進める。
【０１６９】
ステップ１３４において、制御装置４０は、図２４に示すＶ相スイッチオンに係るＣＴ状態確定処理サブルーチンを実施する。このサブルーチンは、上述した図２３に示すＵ相スイッチオンに係るＣＴ状態確定処理サブルーチンと同様の内容である。すなわち、ステップ３０２からステップ３４６までの各処理は、ステップ２０２からステップ２４６までの各処理と同様な内容である。異なる点は、Ｕ相スイッチ５４ａ（Ｕ相補機１９ａ）をオフからオンにしたことに代えてＶ相スイッチ５４ｂ（Ｖ相補機１９ｂ）をオフからオンにしたことである。
【０１７０】
また、制御装置４０は、ステップ３３４において、上述したステップ２３４と同様に、上述したステップ３０８からステップ３３２までの処理でそれぞれ取得した、第１電流センサ５２ａの検出結果とＶ相スイッチ５４ｂとの同期状態、および第２電流センサ５２ｂの検出結果とＶ相スイッチ５４ｂとの同期状態、ならびに第１電流センサ５２ａの検出結果に係る電力符号、および第２電流センサ５２ｂの検出結果に係る電力符号を使用して、Ｖ相スイッチオン時の第１および第２電流センサ５２ａ，５２ｂの検出状態を導出する。すなわち、制御装置４０は、図５の表３に示す９つのパターンに場合分けする。
【０１７１】
上述したように、Ｕ相スイッチ５４ａをオフからオンにした時の第１および第２電流センサ５２ａ，５２ｂの検出状態（状態）が確定し、Ｖ相スイッチ５４ｂをオフからオンにした時の第１および第２電流センサ５２ａ，５２ｂの検出状態（状態）が確定し、かつ、第１および第２電流センサ５２ａ，５２ｂの取付状態が未確定である場合には、制御装置４０は、プログラムをステップ１３６に進める。制御装置４０は、ステップ１３６において、Ｕ相スイッチ５４ａをオフからオンにした時の第１および第２電流センサ５２ａ，５２ｂの検出状態（状態）と、Ｖ相スイッチ５４ｂをオフからオンにした時の第１および第２電流センサ５２ａ，５２ｂの検出状態（状態）とから、第１および第２電流センサ５２ａ，５２ｂの取付状態を算出する。具体的には、制御装置４０は、図３に示す表１を使用して、Ｕ相スイッチ５４ａをオフからオンにした時の第１および第２電流センサ５２ａ，５２ｂの検出状態（状態）と、Ｖ相スイッチ５４ｂをオフからオンにした時の第１および第２電流センサ５２ａ，５２ｂの検出状態（状態）との組み合わせを選び出し、その選び出した組み合わせに相当する第１および第２電流センサ５２ａ，５２ｂの取付状態（取付位置および取付方向）を導出する。
【０１７２】
このとき、制御装置４０は、導出した結果に基づいて、正常、補正および異常の判定を行う。判定結果が「正常」である場合には、第１および第２電流センサ５２ａ，５２ｂは正常な取付位置および取付方向で取り付けられているので、第１および第２電流センサ５２ａ，５２ｂから取得した検出結果をそのまま使用すればよい。
【０１７３】
判定結果が「補正」である場合には、第１および第２電流センサ５２ａ，５２ｂは正常な取付位置および取付方向で取り付けられていないが、第１および第２電流センサ５２ａ，５２ｂから取得した検出結果の正負を逆にしたり取得した検出結果を交換したり（入れ替えたり）して使用すればよい。具体的には、第１および第２電流センサ５２ａ，５２ｂの取付状態が番号２である場合には、第１電流センサ５２ａの検出結果を正負逆にすればよい。第１および第２電流センサ５２ａ，５２ｂの取付状態が番号３である場合には、第２電流センサ５２ｂの検出結果を正負逆にすればよい。第１および第２電流センサ５２ａ，５２ｂの取付状態が番号４である場合には、第１および第２電流センサ５２ａ，５２ｂの検出結果を正負逆にすればよい。第１および第２電流センサ５２ａ，５２ｂの取付状態が番号５である場合には、第１および第２電流センサ５２ａ，５２ｂの検出結果を入れ替えればよい。第１および第２電流センサ５２ａ，５２ｂの取付状態が番号６である場合には、第１および第２電流センサ５２ａ，５２ｂの検出結果を入れ替えるとともに、第１電流センサ５２ａの検出結果を正負逆にすればよい。第１および第２電流センサ５２ａ，５２ｂの取付状態が番号７である場合には、第１および第２電流センサ５２ａ，５２ｂの検出結果を入れ替えるとともに、第２電流センサ５２ｂの検出結果を正負逆にすればよい。第１および第２電流センサ５２ａ，５２ｂの取付状態が番号８である場合には、第１および第２電流センサ５２ａ，５２ｂの検出結果を入れ替えるとともに、第１および第２電流センサ５２ａ，５２ｂの検出結果を正負逆にすればよい。
【０１７４】
判定結果が「異常」である場合には、前述したように補正することができないため、第１および第２電流センサ５２ａ，５２ｂから取得した検出結果を使用することができない。よって、ユーザにその旨を警告する。
【０１７５】
制御装置４０は、Ｕ相スイッチオンに係るＣＴの状態を確定する処理（またはＶ相スイッチオンに係るＣＴの状態を確定する処理）をリトライする際に、所定時間をおいて再度実施するために、ステップ１３８において、Ｕ相補機１９ａ（またはＶ相補機１９ｂ）をオフした後、所定時間（例えば１０００ｍｓ）を経過したか否かを判定する。Ｕ相補機１９ａ（またはＶ相補機１９ｂ）をオフした後、所定時間を経過していない場合、制御装置４０は、ステップ１３８にて「ＮＯ」と判定し、プログラムをステップ１１８に進める。Ｕ相補機１９ａ（またはＶ相補機１９ｂ）をオフした後、所定時間を経過した場合、制御装置４０は、ステップ１３８にて「ＹＥＳ」と判定し、プログラムをステップ１０８に進める。
【０１７６】
さらに、上述した制御による作動を図２６のタイムチャートを参照して説明する。時刻ｔ１にＣＴ自動補正指示があると、４周期分の時間をおいて時刻ｔ２にＵ相スイッチ５４ａがオンされＵ相補機１９ａがオンされる。時刻ｔ１から時刻ｔ２までの間において、Ｕ相補機１９ａのオン前の電流平均値と電力符号を算出する。時刻ｔ２から時刻ｔ３（時刻ｔ２から１００ｍｓ経過した時点）までの間においては、第１電流センサ５２ａの検出結果は利用しない。時刻ｔ３から時刻ｔ４（時刻ｔ２から約１０００ｍｓ経過した時点）までの間において、１周期毎にＵ相スイッチオンに係る第１および第２電流センサ５２ａ，５２ｂの状態の確定処理を実施する。時刻ｔ４から時刻ｔ５（時刻ｔ４から所定時間１０００ｍｓが経過した時点）までにおいては、Ｕ相スイッチ５４ａおよびＶ相スイッチ５４ｂをオフにする。
【０１７７】
時刻ｔ５から時刻ｔ６まで（時刻ｔ５から４周期分経過した時点）においては、Ｖ相補機１９ｂのオン前の電流平均値と電力符号を算出する。時刻ｔ６から時刻ｔ７（時刻ｔ６から１００ｍｓ経過した時点）までの間においては、第２電流センサ５２ｂの検出結果は利用しない。時刻ｔ７から時刻ｔ８（時刻ｔ６から約１０００ｍｓ経過した時点）までの間において、１周期毎にＶ相スイッチオンに係る第１および第２電流センサ５２ａ，５２ｂの状態の確定処理を実施する。時刻ｔ８から時刻ｔ９（時刻ｔ８から所定時間１０００ｍｓが経過した時点）までにおいては、Ｕ相スイッチ５４ａおよびＶ相スイッチ５４ｂをオフにする。
【０１７８】
上述した実施形態によれば、制御装置４０は、各電流センサ５２ａ，５２ｂが装着されている電線および各電流センサ５２ａ，５２ｂの装着向きの組み合わせに対応して関連付けられて、各スイッチ５４ａ，５４ｂを一つずつオンしたときのスイッチ５４ａ，５４ｂ毎におけるそのオンしたスイッチ５４ａ，５４ｂに対して各電流センサ５２ａ，５２ｂが同期するか否かを示す同期関係および各電流センサに係る電力符号の組み合わせを示す予め作成した対応関係（表１）を記憶し、発電装置１０が発電停止している状態において、各スイッチ５４ａ，５４ｂを一つずつオンしたときに各電流センサ５２ａ，５２ｂによって実際に検出された検出結果に基づいて算出された当該オンしたスイッチ５４ａ，５４ｂ毎における組み合わせを算出し（ステップ１１６，１３４）、その算出した組み合わせに相当する各電流センサ５２ａ，５２ｂが装着されている電線および各電流センサの装着向きを対応関係から判定する（ステップ１３６）。これにより、コジェネレーションの電流センサ取付状態判定装置は、各電流センサ５２ａ，５２ｂが系統電源のいずれの相の電線（１５ａ，１５ｂ，１５ｃ）に取り付けられていても、電流センサ５２ａ，５２ｂの装着位置および装着向きを正確に判定することができる。
【０１７９】
また、制御装置４０は、スイッチ５４ａ，５４ｂをオンする直前に算出し記憶した当該電流センサ５２ａ，５２ｂに係る電力符号と、スイッチ５４ａ，５４ｂをオンしている間に算出した当該電流センサ５２ａ，５２ｂに係る電力符号とを比較する（ステップ２１４，２２８）ことで、各電流センサ５２ａ，５２ｂに係る電力符号を算出し、スイッチ５４ａ，５４ｂをオンする直前に算出し記憶した当該電流センサ５２ａ，５２ｂに係る電力符号と、スイッチ５４ａ，５４ｂをオンしている間に算出した当該電流センサに係る電力符号とが異なる場合には、スイッチ５４ａ，５４ｂのオン前後において当該電流センサ５２ａ，５２ｂの検出結果の位相が反転していると判定し、各電流センサ５２ａ，５２ｂが装着されている電線および各電流センサの装着向きの判定を禁止する（ステップ２１４，２２８，２２０）。これにより、スイッチ５４ａ，５４ｂのオン前後で電流の位相が反転するような状況においては、例えば、第１の電力負荷において電力が消費されている場合においては、各電流センサが装着されている電線および各電流センサの装着向きの判定を禁止するため、電流センサの装着位置および装着向きの誤判定を防止して電流センサの装着位置および装着向きの判定の精度を向上することができる。特に、Ｎ相線１５ｃに電流センサが取り付けられた場合に誤判定を抑制することができる。
【０１８０】
また、制御装置４０は、各電流センサが装着されている電線および各電流センサの装着向きの判定が失敗した場合には、時間をおいて判定を再度実施する（ステップ１３８，１２４）。これにより、判定に一度失敗した場合でも、時間をおいて状況が変更することで、次回判定が成功する場合もあるので、電流センサの装着位置および装着向きの判定をできるだけ短期で成功させることができる。
【０１８１】
また、制御装置４０は、各電流センサが装着されている電線および各電流センサの装着向きの判定の１回目を実施し、その後２回目以降の判定を１回目の判定時間（例えば１０００ｍｓ）より長い判定時間（例えば２０００ｍｓ）で実施するようにしてもよい。これにより、電流センサの装着位置および装着向きの判定を複数回行うこと、および２回目の判定時間を延ばすことにより、電流センサの装着位置および装着向きの判定の精度を向上することができる。
【０１８２】
なお、上述した表３は、実機を使用した実験結果から算出するようにしてもよい。
また、上述した実施形態においては、単相３線式の回路構成であったが、３相３線式の回路構成にも本発明は適用可能であり、４線式の回路構成にも適用可能である。上述したいずれの場合にも電流センサ５２は２つでなく３つ以上の場合にも本発明は適用可能である。
【符号の説明】
【０１８３】
１０…発電装置、１０ａ（１０ａ１，１０ａ２）…電力計、１１…発電器、１２…変換器、１３…燃料供給源、１３ａ…流量計、１４…水供給源、１５…電線、１５ａ…Ｕ相線、１５ｂ…Ｖ相線、１５ｃ…Ｎ相線、１６…系統電源、１９…第２の電力負荷、１９ａ…Ｕ相補機、１９ｂ…Ｖ相補機、２１…第１の電力負荷、２６ａ…湯利用機器、２６ｂ…熱利用機器、３０…貯湯槽、３６…流量センサ、４０…制御装置、５２…電流センサ、５２ａ…第１電流センサ、５２ｂ…第２電流センサ、５４…スイッチ、５４ａ…Ｕ相スイッチ、５４ｂ…Ｖ相スイッチ。
【図１】
0005737110.tif 000002
【図２】
0005737110.tif 000003
【図３】
0005737110.tif 000004
【図４】
0005737110.tif 000005
【図５】
0005737110.tif 000006
【図６】
0005737110.tif 000007
【図７】
0005737110.tif 000008
【図８】
0005737110.tif 000009
【図９】
0005737110.tif 000010
【図１０】
0005737110.tif 000011
【図１１】
0005737110.tif 000012
【図１２】
0005737110.tif 000013
【図１３】
0005737110.tif 000014
【図１４】
0005737110.tif 000015
【図１５】
0005737110.tif 000016
【図１６】
0005737110.tif 000017
【図１７】
0005737110.tif 000018
【図１８】
0005737110.tif 000019
【図１９】
0005737110.tif 000020
【図２０】
0005737110.tif 000021
【図２１】
0005737110.tif 000022
【図２２】
0005737110.tif 000023
【図２３】
0005737110.tif 000024
【図２４】
0005737110.tif 000025
【図２５】
0005737110.tif 000026
【図２６】
0005737110.tif 000027